(57)【要約】本発明の実施態様は映画撮影、スポーツイのベント、または、定義された容積の空間内でのすべての位置への他の対象物の流動的運動を必要とする他の活動への使用に理想的に適する。本発明の実施態様のそのような位置決めを達成するために対象物の複数の対立する面を通して送り込まれる１つ以上のラインを配置転換（移転）することによって、三次元空間中で対象物を移動するように構成される。一定の空間内の対象物の上または下からこの対象物を支持するこれらのライン （例えば、ケーブル、ロープ、糸、ワイヤ、またはその他の柔軟性接続的エレメント）は、この対象物が定義された容積の空間内のすべての位置へ、また、すべての位置から迅速に移動できるように配置される。この装置は、例えば、１つの切れ目のないループとして構成された１本のライン、１つの半ループとして構成された１本のライン、切れ目のないループ（複数）として構成された２本のライン、半ループ（複数）として構成された２本 のラインを用いて三次元運動を行うように配置される。  XおよびY交差点で２本のラインに分けられる他の実施態様から本発明の範囲の３本および４本のロープの実施態様を作成し得る。
2007503368.tif 000002
【特許請求の範囲】
【請求項１】
対象物の三次元空間運動を容易にするための装置であって:
一方向の力をかけるための少なくとも１つのエレメントを有する対象物に接続された、非空の一セットのライン支持体エレメント；
該対象物の複数の面に接続された１つのXラインと１つのYライン、および該Xラインと該Yラインは該非空のセットのライン支持体エレメントを介して移動するように構成され；
Xラインを移動して該対象物のX運動をもたらすように構成された１つのX交差点 ； 
該対象物のYラインを移動してY運動をもたらすように構成された１つのY交差点 ；
および、該Xラインと該Yラインを移動して該対象物のＺ運動をもたらすように構成された１つのＺ運動装置および該Xラインと該Yラインは２本の別のラインであるか、または、該Xラインと該Yラインは１本のラインの２つのライン側（辺）であることから構成される。
【請求項２】
対象物の三次元運動を容易にする方法であって:
対象物と関連するXラインを移動し、該Xラインは複数の支持体を通ってリービングされて該対象物のX運動をもたらし； 
該対象物と関連するYラインを移動し、該Yラインは複数の支持体を通ってリービングされ該対象物のY運動をもたらし； および、
該XラインとYラインを移動して該対象物のZ運動をもたらし、該Xラインと該Yラインは２本の別のラインであるか、または、該Xラインと該Yラインは１本のラインの２つの側（辺）であることから構成される方法。
【請求項３】
対象物の三次元運動を容易にする装置であって: 
複数の支持体を通ってリービングされ該対象物のX運動をもたらす、該対象物と関連する Xラインを移動する手段；
複数の支持体を通ってリービングされ対象物のY運動をもたらす、該対象物と関連する一本のYラインを移転する手段； および、
該XラインとYラインを移動して該対象物のZ運動をもたらし、および該Xラインと該Yラインは２本の別のラインであるか、または、該Xラインと該Yラインは１本のラインの２つのライン側であることから構成される。
【請求項４】
対象物の三次元空間運動を容易にするための方法であって:
コンピュータ・シミュレーションを用いて三次元空間中の仮想対象物の行程経路を作成し、:
仮想対象物と関連する仮想Xラインの移動を用いたX制御の入力を記録し、該仮想Ｘラインは複数の仮想支持体を通ってリービングされ該仮想対象物の仮想Ｘ運動をもたらし； 
該仮想対象物と関連する仮想Xラインの移転を用いたＹ制御の入力を記録し、該仮想Ｙラインは複数の仮想支持体を通ってリービングされ該仮想対象物の仮想Ｙ運動をもたらし；
該仮想Ｘラインと該仮想Ｙラインを移動させることによって、該仮想対象物の仮想Ｚ運動をもたらすＺ制御入力を記録し； および、
仮想環境において該コンピュータ上に該行程経路を表示することから構成される。
【請求項５】
対象物の三次元空間運動を容易にするための装置であって:
第１ラインと第２ラインは離れて、該第１ラインと該第２ラインの間でロッドと接続され、
該ロッドはさらに対象物と接続され、および、該第１ラインと該第２ラインは該対象物を移動するように構成され；
第１交差点は該第１ラインを移動するように構成され； 
第２交差点は該第２ラインを移動するように構成され、および、該第１ラインと該第２ラインは２本の別のラインであるか、または該第１ラインと該第２ラインは１本のラインの２つのライン側であることを含む。
【請求項６】
対象物の三次元空間運動を容易にするための方法であって:
対象物と関連するロッドに接続された、該対象物と関連する第１ラインを移動し、；
該第１ラインから離れたところで該ロッドに接続された、該対象物と関連する第2ラインを移動し； および、
該第１ラインを調整することによって縦軸に対して該ロッドを回転し、および該第１ラインと該第２ラインは２本の別のラインであるか、または該第１ラインと該第２ラインは１本のラインの２つのライン側である。
【請求項７】
対象物の三次元空間運動を容易にするための装置であって:
対象物と関連するロッドに接続された、該対象物と関連する第１ラインを移動する手段；
第１ラインから離れたところで該ロッドに接続された該対象物と関連する第 2ラインを移動するための手段； および、
該第１ラインを調整することによって縦軸に対して該ロッドを回転する手段であって、
第１ラインと該第２ラインは２本の別のラインであるか、または該第１ラインと該第２ラインは１本のラインの２つのライン側である、で構成される。
【請求項８】
対象物の三次元空間運動を容易にするための装置であって:
第１軸において対象物を移動するように構成されたＸ運動ロープ；
第2軸において該対象物を移動するように構成されたY運動ロープ； および、
該X運動ロープと該Y運動ロープを移動して第３軸において該対象物の運動をもたらすように構成されたZ運動装置
から構成される。
【請求項９】
対象物の三次元空間運動を容易にするための方法であって:
対象物に連結されたX運動ロープを移動し；
該対象物に連結されたY運動ロープを移動する； および、
該対象物を移動する
ことから構成される。
【請求項１０】
対象物の三次元空間運動を容易にするための装置であって:
対象物に接続されたX運動ロープを移動するための手段；
該対象物に接続されたY運動ロープを移動するための手段； および
該X運動ロープと該Y運動ロープと連結されたZ運動装置1を起動するための手段から構成される。
【発明の詳細な説明】
【関連出願の説明】
【０００１】
本出願はPCT 出願PCT/US04/024321の国内段階の出願であり、その明細書を参考としてここに組み込むものである。本出願は2003年７月28日に「System and Method for Moving Objects within Three-Dimensional Space（三次元空間内の対象物を移動させるための装置及び方法）」と題して提出した米国特許出願番号10/604,525の継続の一部であり、ここに参考として組み込む。本出願は2004年2月12日に「吊り下げられたカメラの流動的三次元運動を容易にするケーブリングシステムおよび方法」と題して提出された米国特許番号10/708,158の継続の一部である。本出願は2004年6月8日に「System and Method for Facilitating Fluid Three-Dimensional Movement of an Object via Directional Force（一方向の力を介する対象物の流動的三次元運動を容易にする装置および方法）」と題して提出された米国特許番号10/709,944の継続の一部であり、ここに参考として組み込むものである。
【技術分野】
【０００２】
ここで述べる本発明の実施態様は、架空ケーブルレール装置の分野に関連して述べる。より詳しくは、これらの実施態様では三次元空間内で対象物を動かすことができる。
【背景技術】
【０００３】
架空ケーブルレール装置はそれにそって対象物を輸送する高架のケーブルまたはロープに基づく装置である。既存のケーブルレール装置は大規模な固定された構造および/あるいは、対象物の移動を容易にするための複雑な制御装置に依存している。これらの装置の多くは、実用的でなく、使用が困難であり、このような装置が通常プラットフォームの安定性、コントロールの簡便性、小型の足跡、輸送の簡便性、速度、積載負荷性、伸長性、保守性およびプラットフォームの安定性を十分満足に実施することができていない。
【０００４】
過去には種々の目的でロープやケーブルを介して対象物を三次元空間中で支持し、移動させていた。1893年に許可されたShermanの特許文献１では、ケーブルおよびプーリー（滑車）の複雑な配置による三次元空間のホイストの移動を可能にする装置について述べている。ロッギング装置は、1926年に許可されたLawsonの特許文献２に述べられており、これは丸太を吊したり、長距離にわたって移動させるために大量のケーブルや膨大な滑車を通すことを用いた。1960年に許可されたCrucianiの特許文献３では同様のロープクレーンについて述べている。これらの装置は一般に、一本以上のきつく張った高圧線を用いており、そこから対象物をつり下げている。1962年に承認されたMeltonの特許文献４や、1977年に許可されたKennedyの特許文献５のような他の特許では、異なったアプローチを取っており、１つのウィンチにつき、１つの支持プーリー、その１つの支持プーリーにつき一本のケーブルを用いることによって三次元空間で、対象物をつり下げたり、移動させている。この特許文献４と特許文献５の特許では、装置内でのケーブルの数は最小限にされているが、各ケーブルの速度や長さは支持される対象物の移動経路に応じて不均一に変化しなければならないため、装置内のケーブルは簡単にはコントロールできない。
【０００５】
前記のケーブル移動装置は、一般に道具や材料を運搬するために使われていた。単純なケーブル支持装置もまた、満足度は異なっているが、三次元空間中でつないだロープでカメラを支持するために使われてきた。1887年に許可されたFairmanの特許文献６では、二本の張り綱に沿って動き、地上の高所からカメラでの撮影を可能にする風船について述べている。1897年に許可された特許文献７のEddyの特許では、パノラマのような写真を撮影するために、リールに取り付けられた凧の糸で一群のカメラをつり上げられている。1908年に許可された特許文献８のSeeleの特許では、シャッターストリングが完全に伸びている時に露出されて生じる写真から、望ましくない振り子効果や、風の運動効果を排除するためにカメラは風船から天空に落される。特許文献８の特許が、カメラを運搬する運搬具の衝撃効果から飛行中のカメラを分離することを試みたおそらく、最初の特許であろう。1911年に許可された特許文献９のBrownの特許では、一定時間後に撮影するようにプロペラの形にタイマーを付けた凧の糸にカメラを直接取り付けている。1919 年に許可された特許文献１０のParksの特許では、凧の糸に沿って写真を撮る地点に移動し、撮影と撮影の間に凧を下げる必要のないように自動的に凧の糸が下げられるような凧糸ベースのカメラについて述べている。
【０００６】
1920年代の技術において、運搬具を移動することによって、得られる写真の品質が制限されるため運搬具で運搬されるカメラを安定化させることを始めた。1927年に許可された特許文献１１のLucianの特許では三次元空間中でカメラを運搬する空中、陸、海での運搬具の望ましくない角度の運動から、カメラを積極的に分離するために前後左右の軸でカメラを安定化するジャイロ安定化カメラ台について述べている。特許文献１１のLucianの特許の後に多くの他のジャイロ安定装置の特許が許可されており、機器が移動する運搬具によって支持されている場合の機器の能動的な安定化について学ぶことができる。
【０００７】
特許文献１２では、少なくとも最小３本のケーブルを使用し、その各々のケーブルが二つの端からなり、各ケーブルの一端は機器の支持部に固定され、他の端はウインチに固定されているカメラ・サスペンション装置について述べている。二つの固定された端点の間にプーリーがあり、これは、地面と機器支持部との間に垂直のオフセットを与えるケーブルのサポートとして使われている。移動はケーブルを巻入れたり、繰り出したりして、二点間でカメラを動かして位置づけることによって達成され、通常すべてのケーブルを同時に異なった速度で動かす必要がある。
【０００８】
特許文献１３では、機器支持体部分のパンニング（垂直軸）の速度を能動的に安定化できるようにカメラのペイロードが三次元空間中で移動できるカメラ支持装置が開示されている。
【０００９】
特許文献１４では、ウインチの数と一対一に対応し、中央の対象物を支えるプーリーを支持する独立したロープを伸ばしたり、引っ込めたりして対象物を移動するケーブル支持装置について述べている。１つの軸の単純な運動にさえも、装置のすべてのロープが、対象物を支持している他のロープがたるまないように調和のとれた長さに変化することが必要である。この特許文献１４の装置はコンピュータ化された制御装置なしには最良の様式で操作することができないが、これは特許文献１３および特許文献１２の装置でも同様である。
【００１０】
特許文献１５では、ペイロードを三次元空間内で移動し、角度をつけて置くことができるような発明が開示されている。この発明では２地点間でペイロードを動かすために支持ロープの長さの変化を計測するためのコンピュータ制御装置を必要としている。この発明ではプラットフォームでの電源が必要であると思われ、プラットフォーム上の装置用ウィンチを位置づけ、さらにプラットフォームのペイロード容量を減少する。さらに、この発明では制御目的のX、 Y および Zの単一の独立は提供されていないし、ケーブルの張り具合を適切にするために複雑な感度装置を使用しなければならないと思われる。
【００１１】
特許文献１６では、三次元空間内でロボットまたは人間が用意に移動できるような発明が開示されている。ペイロードは制限されており、また支持構造の規模は小さいものである。もし、この支持構造が大きい規模にされたとすると、発明を実施するために多数のワイヤーが必要なため、標柱または電柱などの障害物がキューブ内の指定された２地点間の経路を通るペイロードの動作を阻害するであろう。また、この発明ではキューブ下でＺ軸が変動できると思われない。また、大きい空間を与えるためのキューブ支持構造のサイズは、必要な規模で構築するには極めて高価であろう。また、支持される設備機器を動かしている時にすべてのロープのテンション（緊張度）を正しいレベルに維持するための複雑な制御が必要とされる。
【００１２】
特許文献１７の特許では、三次元空間内でカメラを移動させる発明が開示されている。特許文献１７の発明における問題は、装置の規模を拡大する試みがなされる時に明らかになる。図４は、ペイロードがX、Y空間の中央にある時に２本の平行高圧線ケーブルがいかにして内部にたるんでいるかを明白に示している。この発明ではY軸ロープを支持するための強いレールを使っていないので、発明の重量負荷は、取り付けられている建物または構造の力とその重量負荷Ｘ軸コネクターのスプリングに依存している。この発明を戸外使用のために修正されたならば、種々の軸のモーターはリギングに取り付けられており、これらはペイロードと共に空中を横断するために複数の極めて長いパワーケーブルを必要とするであろう。パワーケーブルは遠方のX軸モーター、Y軸モーターおよびZ軸モーターを運転するために最も長い軸の合計三倍以上となるであろう。重いモーターをリギング内の高所に取り付けることは、吊り綱が切れることがあるとした場合、大きい安全性問題を提示する。モーターの大きさによって、運搬できるペイロードが制限され、さらに、ペイロードを運搬できる速度が制限される。この発明では、また、サイズが固定されており、X軸運動のモジュラーの追加ができず、あるいは、より大きいスタジオでの構造を取り付けるか、またはより大きいハンガーを構築しないでYまたはZ軸運動を増加することができない。この装置は三次元内で対象物を移動させるために４本のロープを必要とする。
【特許文献１】米国特許第494,389号明細書
【特許文献２】米国特許第1,782,043号明細書
【特許文献３】米国特許第3,065,861号明細書
【特許文献４】米国特許第3,043,444号明細書
【特許文献５】仏国特許第2,318,664号明細書
【特許文献６】米国特許第367,610号明細書
【特許文献７】米国特許第578,980号明細書
【特許文献８】米国特許第894,348号明細書
【特許文献９】米国特許第1,002,897号明細書
【特許文献１０】米国特許第1,301,967号明細書
【特許文献１１】米国特許第1,634,950号明細書
【特許文献１２】米国特許第4,710,819号明細書
【特許文献１３】米国特許第4,625,938号明細書
【特許文献１４】米国特許第5,440,476号明細書
【特許文献１５】米国特許第6,566,834号明細書
【特許文献１６】米国特許第5,585,707号明細書
【特許文献１７】米国特許第5,568,189号明細書
【発明の開示】
【課題を解決するための手段】
【００１３】
本発明の実施態様は１つ以上のラインを用いて三次元空間中で対象物を移動するのに理想的に適している。例えば、発明の種々の実施態様では人、採掘道具、ロギング道具、製造された対象物またはカメラのようなあらゆる他の有用な対象物を位置づけるためのメカニズムを提供するものである。このようにして、本発明の実施態様を用いて、フィルムやテレビ製作およびスポーツイベント、または、カメラまたは他の対象物の定義された容積の空間内でのすべての位置への流動性移動を利用できるあらゆる他のアクティビティを記録することができる。
【００１４】
このような位置づけを達成するために、本発明の実施態様は対象物の複数の側面を通して送られる１つ以上のラインを移動させて三次元空間中どこでも対象物を移動できるような構成となっている。空間内の対象物を支持するこれらのライン（例えば、ケーブル、ロープ、糸、コード、ワイヤーまたは他のすべての柔軟な接続性材）は、定義された容積の空間内であらゆる場所から迅速に対象物が移動できるように配置される。装置は、例えば、切れ目のないループとして構成された１本のライン、半ループとなっている１本のライン、切れ目のないループとなっている２本のラインあるいは、半分のループとなっている２本のラインを用いて三次元運動を行うように配置され得る。
【００１５】
ラインを正確に配置できるかどうかは、本発明のどの実施態様を実施するかに依存する。しかし、各々の場合において、一組のライン支持エレメント（例えば、１つ以上のプーリ、シーブまたは、ラインの方向転換をするように構成されたすべての他の支持アセンブリ）を通って、電動式プッシュプル式ホイール（ハンドル）の周りを通過することによって一組の１つ以上のラインで対象物は吊される。ラインの支持エレメントは、自由回転エレメントから構成されることができる、または制御されるエレメントでも良い。例えば、ラインが切れた場合にラインの移動を自動的に停止するための緊急ブレーキ部品を提供できる。電動プッシュプル式ホイールは、対象物を移動するラインを移動し、任意の位置に対象物の宙づり状態を保持するように構成される。対象物の複数の側面間でラインを移動して対象物を動かすことができるような様式でラインがプッシュプル式ホイールによって動かされる。このラインは、三つの交差点（例えば、一実施態様では、二つのプッシュプル式ホイールと１つのウインチ）ができるようにして滑車を通し、ラインに力を掛けることによって、対象物を三次元に移動することができるようにする。三次元の各々の動きはかなり独立しており、Xラインは支持される対象物のX軸動作を可能にし、YラインはプラットホームのY軸動作を可能にする。この発明の一実施態様では、X軸とY軸は隣接ラインの側（辺）を形成するように接続され得る。このX軸とY軸は直交する必要はない。交差点（例えば、ウィンチ、プッシュプル式ホイール、ハイドローリック装置、ネジ道具またはラインの移転または移動させる他のメカニズム）を介してXラインとYラインを同じ長さを移動することによって、プラットフォームのZ軸を移動させる。Z軸は交差点XとY軸によって作られた平面に直角に突き出す必要はなく、またすべての支持領域は同じ平面にある必要はない。
【００１６】
この装置はより長いラインを使い、支持体を移動することによってどのサイズの規模にもできる。また、支持体そのものは、力学的に位置を変えても良い。実施態様は不等辺三角形または  凸状、または凹状四辺形に構成することができ、すべての支持体間のどの二面も同じ長さ、または同じ距離、同じ高さにする必要はない。これは本発明の単一ラインを用いた実施態様または２本のラインを用いた実施態様あるいはこれらの実施態様の変形にも 適用される。三次元運動の説明を簡単にするために、支持される対象物が移動される別々の軸は、X軸、Y軸、およびZ軸と呼び、これらの各々は他の二つの軸によって形成される平面に直角に交差する必要はないとする。  
例えば、適切な数のライン支持体エレメントを有する４つの領域を持つ長方形に構成された本発明の実施態様では、支持される対象物はY軸に沿った移動と関係なくX軸に沿って移動される、したがって、複雑な制御装置を必要としない。この実施例では、Z軸の運動は長円体の経路（ 中心が支持体の４つ中心の長円体）を取り、この進路は好ましい対象領域の形に応じて、平坦、または円をなすこともできる。例えば、側面より中心が深いスタジアムとか、露天採鉱のような物理的に井戸の上となるような対象領域の場合、対象物が発明の対象領域の側面に向かって移動する時に、Z軸は自動的に縦に移動するため、X軸とY軸の運動は装置内でより多くの、またはより少ないラインで、表面下を避けるためにより平たい、またはより丸い長円形を作るように構成することができる。装置地内に配置されるラインの量と支持体の相対的高さによって、この長円形の進路を必要に応じて平たくまたは円形にすることができる。支持される対象物の複数の側面へラインの同じ長さを移動することによって、プラットフォームのZ軸を動かすことができ、その結果、対象物を細かく制御することができる。この手技は、三次元内の対象物を移動させる制御装置を必要せずにラインの配置転換ができ、複雑な制御ソフトウエアや能動的安定化を必要とした従来技術を越えた多くの利点を提供する。
【００１７】
本発明の実施態様はまた、三つの支持体の三角形状の構成をも使うことができ、この構成では、どの二辺も同じ長さにする必要はない。本発明の実施態様が構成するどのトポロジーの場合も、同じラインは複数の側面で対象物を支持しており、対象物は、支持される対象物の１つの側面から他の側面に移動するラインの量に基づいた最小の位置エネルギーの地点に自由に移動できるため、対象物でのラチェッティング運動はない。さらに、各々の軸の運動に影響する交差点は、独立して操作されるため、複雑な計測や、コンピュータ制御を必要とするようなラインの長さの調整をする必要はない。
【００１８】
本発明の一実施態様において、ラインはX、 Y およびZモーターを含む１つの領域から移転され、したがって、遠くにモーターを置いたり、電気ケーブルは、好ましい場合は使用しても良いが、必要でない。ラインを移転させるために連結したモーターおよび交差点を使用する本発明の実施態様の他の利点には、大きいモーターを使用できる、パワーケーブルを短くすることができる、また、大きいジェネレーターの近くに置くことができ、一カ所でメンテナンスを実施することができるなどが含まれる。装置で用いられるこのライン支持体エレメント（  例えば、プーリ、シーブ、またはその他のラインの方向を転換できるメカニズム）は、高速度ベアリングを含む場合があり、また、脱線しないようにラインを捕獲するように構成されており、これによって、さらに装置の安全性を加えている。プッシュプル式ホイールは任意で、ずれを防ぐためにラインをしっかり掴む溝を含む場合がある。ラインを駆動または移転するためのメカニズムは、プッシュプル式ホイールの代わりとなり得る。本発明の実施態様では、プッシュプル式ホイール、リールまたはあらゆるメカニズムを利用して、ラインの移動の作用によりＺ軸行程を増大することができる。装置の種々の構成部品の配置は、発明の精神を維持しつつ、改良からロープを滑車に通すことまでを含み変更される場合もある。
【００１９】
支持される対象物は多くのタイプの有用な装置からなり、また、この対象物はさらに、受動的あるいは能動的安定化を含むプラットフォームに接続される。例えば、用語「対象物」は、カメラ、機械性クロー、ホイストまたは 積み込み機、採掘スコップ、または、三次元運動が必要とされるすべての他の器具を指すが、これらに限定されるものではない。また、本発明の実施態様を一人以上の人の三次元運動を行うために使用することも可能である。ここで使う「用語」プラットフォームは 力、例えば、引力がかかる環境における三次元空間中で移動する目的で、対象物が連結される運搬具を指す。例えば、プラットフォームが支持体から押される限り、空中または水中の支持体とともに空中または水中でプラットフォーム自体が支持され、動かされ得るであろう。本発明の１つ以上の実施態様において、プラットフォームで１つ以上の力、例えば、浮力と重力がかかり得る。このプラットフォームは一方向の力の使用を可能にするエレメントを含み得る。このエレメントは風船、帆船、カウンターウエイト（分銅）、浮力のある分銅、強磁性材、またはプラットフォームまたは対象物を動かして一方向の力の対象となり得るすべての他のエレメントとすることができる。  真の力は、Z軸に対する、例えば、風による力のプラス方向またはマイナス方向に限定されないあらゆる方向にプラットフォームを動かす基礎を提供する。Z軸は地球表面に対して垂直である必要はない。この力は実施態様に基づいた空間の磁気力、または慣性力、あるいは例えば、重力、またはプロペラ、反動推進エンジンの活動の結果、風船または、またはプラットフォームが結合された支持体から押されることによる他の手段のような、水または空気より密度の少ないエレメントによる水中または空中の陽性浮力であり得る。実施態様によってはその支持体は地表面、または海底にあり、高さはプラスまたはマイナスまたはゼロである。支持される対象物は少なくとも一本のラインに沿った支持体に花綱にされた電気ケーブルまたは光ファイバーケーブルを使用し得る。または非支持領域に移動し、支持された対象物から地面へビデオ画像または他のデ―タを送信するのに用いられ得る、あるいは、データは無線技術によってプラットフォームから送信され得る。あるいは、プラットフォームはマイクロ波のような無線連結またはあらゆる他の適切な輸送処理方法を介してビデオや画像データを送信または受信し得る。
【００２０】
プラットフォームはラインがプラットフォームを通過するか、またはプラットフォームと連結される領域より、はるかに下に重力中心を持つ構造からなる場合がある。プラットフォームの運動は非常に安定しているので受動的安定化が下の重い実施態様に使用され得る。 あるいは、このラインは支持される対象物の重力のほぼ中心でプラットフォームと連結され得る。（プラットフォーム上の 質量中心を持つ対象物は人が手に持つほうきの平衡を保つのに似た能動的制御で用いられ得る） 対象物には、外部電源が必要な装置、または  自己電源を持ち、無線信号によって操作される装置が含まれ、また、これらに限定されない。移動し得る支持される対象物には、すべてのカメラ装置が含まれ、これには垂直円材（スパー）を持つカメラ装置（オーストラリア特許番号150,740 ）、２本軸の能動的安定装置の組合せを有する、または有しないカメラ装置（米国特許番号 2,446,096、米国特許番号1,634,950、米国特許番号2,523,267（３本軸の能動的実施例をも含む）、米国特許番号1,731,776 および英国特許番号 516,185で、これらのすべてがカメラの支持体を垂直位置に維持するために２本の水平軸に能動的制御を与える）が含まれ、また、これらに限定されない。垂直の円材および円材を安定化するための手段からなる米国特許番号 4,625,938のカメラ装置は、米国特許番号 4,625,938に述べられている支持体技術ではなくその発明の実施態様を用いることによって支持され移動され得る。ヘリコプターまたは飛行機に取り付けられた米国特許番号3,638,502のようなカメラ は、本発明の実施態様では、より安定に対象物を移動させるために、先行技術では可能でなかった受動的または能動的安定化（重力中心か、または、重力中心でない取り付け）を使用して支持され、移動され得る。
【００２１】
ここで用いる用語、「安定化」はその軸に対して対象物を安定化させるメカニズム（機構）からなる。受動的安定化は支柱または、つり下げた対象物の振り子運動を制限する制動材を利用し得る。能動的安定化はセンサーを利用して、任意の方向、速度、加速、衝撃、または長期にわたる空間のすべての他の派生物に対して軸を制御可能に安定化させるために動力を備えた軸にフィードバックを与える。
【００２２】
ここで使う用語「ライン」はあらゆる数の受動的または動力を備えた、または能動的ライン支持エレメント、あるいは、すべての他の方向転換機構によって曲げることができる、また誘導することができる継続する、切れていない長さのラインを指す。本発明の一実施態様において、ラインの破損はラインに連結されたコンポーネントが機能を失う原因となる。この問題を避けることによって装置の安全性を高めるため、本発明では支持される対象物が対象領域との接触を制限する機構の使用を考慮している。  一本のラインで対象物の複数の側面を支持することによって先行技術にはなかった、本来備わった特徴的安全性があり、一本のラインが切れても支持される対象物が下の地面と接触することはない。例えば、対象物が４側面で支持されており、４つの向かい合う側面の中、２側面の穴を通って、連結した一本のラインで支持され、また、４つの向かい合う側面の他の２側面と連結された他のライン（または1本のラインの実施態様ではライン側）（ 最初のラインに対して90度離れている場合、または90度離れていない場合）で支持されているならば、一本のライン（他のライン側が例えばウィンチに連結されており、ラインの半分が切れても他の半分の緊張度がゆるまないライン側）が切れても、プラットフォームは下の地面に接触し得ない。 浮力性実施態様において、ラインが切れても、プラットフォームは海面に縦に逸脱しない。またはバルーンの実施態様において例えば、バルーンは飛び去り得ず、例えば、スタジアムの天井を損傷し得ない。磁気方向力のある無重力環境でも、例えば一本のラインが切れたとしても、エレメントは宇宙に逃げ込まないであろう。
【００２３】
ドラムウィンチ（巻き揚げ機）は、先入れ後出し式に作動してラインを保管し、また、ドラムに接続された、配置されたラインの長さをコントロールする装置である。したがって、ドラムウィンチはリール（釣り糸のリールなど）の機能とほとんど同じように作動する。プッシュプル式ホイールは、ドラムウィンとは全く異なった方法で作動し、先入れ先出し式に作動し、ラインを後の伸長のために保管せずにラインを移動する、機能的に電動式プ―リである。プッシュプル式ホイールはラインの使用量を変えずに、装置の取り込み側から出口側へラインを移す。
【００２４】
ここで用いる用語「モーター」はドライブ・プーリ、またはドラムウィンチ、あるいはラインまたはケーブルを配置転換させることができるあらゆる装置を含むモーターを指す。モーターはラインを配置転換するいくつかのタイプの装置を駆動しなければならないので、この定義は図式を簡単にするために提供されている。さらに、特定の実施態様では、モーターは、発明の範囲および精神の範囲内で、ハイドローリック式、電動作動装置または、他のラインを動かす方法で代用され得る。
【００２５】
使用される本発明のライン実施態様のタイプのいくつかの例には、スペクトラ（Spectra）のようなHMDPE（高分子密集ポリエチレン）ファイバー、またはベクトラン （Vectran）のような改良ファイバーなどに限定されない、合成ロープファイバーが含まれる。ラインの長さ、強さおよび重量によってプラットフォームを大きい距離にわたって使用することができる。合成ラインは、重量は金属ケーブルの10%であるが、強度はその90%である。
【００２６】
本発明の実施態様は複数の独立性、あるいは依存性対象物を支持し、移動するためにネスト化されている。例えば、依存性対象物は、複数のリービング（滑車または穴に通す）に連結されたポールを含み、リービングは、ポールを縦に維持させるか、またはポールがどの軸に対しても角度を変えるように独立的に移動され得る。ポールに連結された複数のリービング間で、固定された距離で固定継手を使用するか、または入れ子式ポールまたは弾力性ひもなどの非固定の依存性連結もまた使用し得る。例えば、マイクロホン用プラットフォームを提供するためにリービングに関係なく複数のラインをポールに連結し得る。
【００２７】
独立性対象物は互いに独立に移動され得、また、例えば、独立性対象物間の衝突を避けるために一台のコンピュータによって制御され得る。衝突センサーは、つり下げられ、また、他のリービングによって動かされた他の対象物、あるいは、装置に対する対象物の位置がわかっている限り発明の実施態様と関連していない静止した、または動いている対象物との衝突回避のために提供されている装置内のどのエレメントとも結合し得る。音響センサー、光学センサー、またはレーダーセンサー、すなわち、衝突センサーは、サッカーボ―ル、ベースボール、フットボール、または、投げ槍、ハンマー、砲丸投げのような他のスポーツ道具、または検知することができるすべての他の対象物との衝突を避けるために、支持される対象物および/またはライン（複数）を移動させるため装置内のどこにでも連結し得る。シミュレーションを含む事前計画された運動において、事前に計画された飛行進路を出るか、またはその後、回避後事前計画された進路に戻るかする、物理的実施例の事実上の運動時に感受される対象物との衝突を避けるために衝突検知を使用し得る。
【発明を実施するための最良の形態】
【００２８】
本発明の実施態様は１つ以上のラインを用いて三次元空間中で対象物を移動させるのに理想的に適している。本発明の種々の実施態様では人、動物、採掘道具、ロギング道具、製造された対象物またはあらゆる他の有用な対象物を位置づけることができる。例えば、本発明の実施態様を用いて、映画、スポーツイベント、または、定義された容積の空間内でのカメラまたは他の対象物のすべての位置への流動性移動を利用できるあらゆる他のアクティビティを撮影することができる。
【００２９】
下記の記述で、本発明の実施態様のより完全な説明を提供するために多くの特定の詳細について述べるものである。しか、当業者にとっては、本発明はこれらの特定の詳細がなくても実施され得ることは明白である。他の例において、発明を不明瞭にしないため、周知の特徴については詳細に述べなかった。しかし、各々の場合において、請求項および同等の範囲によって発明の境界を定義するものとする。
【００３０】
本発明の実施態様は、対象物の複数の面と連結されたラインを転移させることによって三次元空間中の対象物を移動させるものである。２本のラインを使用する実施態様では、一旦、プラットフォームの上下の移動距離を対象領域の最小値に設定すると、一本のラインが切れても、支持されるプラットフォームは切れていないラインによって地上の高所に維持され、切れたラインの中心の軸に移動される。プラットフォームの反対側は残りの切れていないラインに連結されたままであるため、プラットフォームが下降し得る最低地点は事前設定の最小値となる。プラットフォームが一般に支持体の上にある実施態様に基づく空中または海中のような浮力性実施態様では、プラットフォームの反対側は残りの切れていないラインに連結されたままであるため、プラットフォームが上昇できる最高地点は事前設定の最大値である。
【００３１】
本発明の実施態様は切れ目のないループを構成する１本のライン、半ループを構成する1本のライン、切れ目のないループを構成する２本のライン、または半ループを構成する２本のラインを含み得る。これらの実施態様の各々は、Xライン側とYライン側を 示す二つのライン側からなり、略してXラインとYラインと呼ぶ。切れ目のないループを構成する一本のラインを含む実施態様では、ループのほぼ半分はX軸の移動に作用するように構成され、残りのラインはY軸を制御するように構成される。これらの軸は説明のためのものであり、実施態様を直交構成に限定するものではない。半ループを含む実施態様において、ループのほぼ半分は、Xライン側と呼ばれ、残りのラインはYライン側と呼ばれるが、略してXラインとYラインと呼ばれる。切れ目のないループを構成する２本のラインを含む実施態様において、１本のラインはXライン側、他のラインはYライン側と呼ばれる。半ループを構成する２本のラインを含む実施態様では、１本のラインはXライン側、残りのラインはYライン側と呼ばれるが、また、Xライン側とYライン側は、略してXラインとYラインと呼ばれる。図15A-Dは２本ラインの実施態様を示し、図16A、Bは１本ラインの実施態様を示し、以下の詳しく説明する。さらなる安全性のために、対象物を支持するラインを多くし得るが、必要でなく、既存のラインと組にするか、または最初の支持体に対して同じでない数の別の支持体を使用し得、また、これは距離または高さによって最初の支持体から区別され得る。
【００３２】
実施態様に関係なく、ラインに力をかけ、それによって、事実上独立している三次元の対象物を移動できる三つの交差点を作るような方法でラインを穴（滑車）に通す。Xライン側上のラインを移動すると、Y軸とは関係なく対象物が移動し、Yライン側を移動すると、X軸とは関係なく対象物が移動する。このXとY軸は直交する必要はない。ラインの同じ長さを移動することによって、プラットフォームのZ軸を移動することができる。Z軸はXとY軸の交差点によって作られる平面から直角に出る必要はない。
【００３３】
図１は装置の実施態様の透視図を示す。３つの軸は、左右を示すX軸、ページの奥に向かうY軸、ページの上下に示されるZ軸で図に示されている。 X軸、Y軸およびZ軸は他の二つの軸の交差によって作られる平面から直角に出る必要はない（これらの軸の各々は他の二つの軸で作られる平面に対して90度以外の角度で出ても良いことを意味する。この構成において、支持体構造110、112、114 および 116は、その中でプラットフォーム124が移動できる領域を囲み、また、地面からプラットフォーム124を離す。支持体構造は、受動的または能動的ライン支持体エレメントを含み得、また、空間の領域を定義するために、これらのライン支持体エレメントを遠くに置くことを可能にするすべての構造を含むことができる。例えば、ラインが方向転換できるようなあらゆる構造は、支持構造として役立ち得る。このような構造のうち、小数の例に、建物、木、渓谷、またはライ支持体エレメントを配置し得る、地上の、高さの差異を持つすべての他の構造があり、また、これらに限定されない。他の一例には、プラットフォームがその中を 移動できる容積に対してゼロまたはマイナスの高さである地面に取り付けた支持体を含み、浮力のあるプラットフォームを使う実施態様で用いら得る。 支持体構造または支持体地点の各々は、同じ垂直の高さにあるか、または異なった高さを含み得る。
【００３４】
プラットフォーム124は、三次元での移動機能を有することが役立つすべての対象物または機器のための可動性支持体を提供する。例えば、プラットフォーム124は、ラインが通過するか、またはプラットフォームと連結する領域のずっと下で重力中心を持つ構造を含み得る。あるいは、支持される対象物のほぼ重力中心でプラットフォームと連結し得る。対象物には、外部電源が必要な装置、または  自己電源を持ち、無線信号によって操作される装置が含まれ、また、これらに限定されない。移動される、支持される対象物には、すべてのカメラ装置が含まれ、また、垂直円材（スパー）を持つカメラ装置（オーストラリア特許番号150,740 ）、２本軸の能動的安定装置の組合せを有する、または有しないカメラ装置（米国特許番号 2,446,096、米国特許番号1,634,950、米国特許番号2,523,267（３本軸の能動的実施例をも含む）、米国特許番号1,731,776 および英国特許番号 516,185で、これらのすべてが特許番号150,740のようにカメラの支持体を垂直位置に維持するために２本の水平軸に能動的制御を与える）が含まれ、また、これらに限定されない。垂直の円材および安定化装置を含む米国特許番号 4,625,938のカメラ装置は、米国特許番号 4,625,938に記述されたケーブル支持機構ではなくその発明の実施態様を用いて支持され移動され得る。ヘリコプターまたは飛行機に取り付けられた米国特許番号3,638,502のようなカメラ は、本発明の実施態様では、より安定に対象物を移動させるために、先行技術では可能でなかった受動的または能動的安定化（重力中心か、または、重力中心でない取り付け）を使用して支持され、移動され得る。
【００３５】
使用される発明の実施態様によって１本か、または２本のラインでプラットフォーム 124は三次元内で支持され、移動される。各々のラインはリービングされて、プラットフォーム124が装置内で中心にあり、かつ、プラットフォーム124に最も近い「V」の先端の上から見た時に、一組の「Ｖ」形状を形成する。プラットフォームを支持するためのロープの二つの側を使う実施態様において、ロープラインの各々の側の合計が、支持体110、112、114および116からプラットフォーム124までの測定値と同じ長さを有する。この測定結果は用いられるトポロジー、すなわち、支持体の数に左右されず、Z軸の細かい移動を可能にする。 Z運動装置104によって装置から（実施態様によって１本かまたは２本の）ラインを引き出すことによって、プラットフォーム124は引き揚げられる。逆に、二本のラインを送り込むことによって、プラットフォーム124は低下される。図1において、X軸モーター103の右側のラインは18a、X軸モーター103（例えば、Xプッシュプル式ホイール）の左側のラインは18bで示される。18a側および18b側は、同じ持続的ラインの異なった側であり、説明のみの目的でモーターの箇所で名称を変えている。Y軸モーター102（例えば、Yプッシュプル式ホイール）の右側のラインは19a、Y軸モーター102の左側のラインは19bで示される。19側および19b側は、モーターの箇所で名称を変えている同じラインの異なった側である。したがって、18で始まるラインの名称はXラインを意味し、19で始まるラインの名称はYラインを意味する。実施される本発明の実施態様によって、合計１本または２本のラインがある。X、Y および Z軸のモータの制御は、簡単なスイッチ、ポテンショメータ、またはコンピュータの形であり得、これは、プラットフォーム124を同じZ位置に保つために、X軸および/または、Y軸を横断しながら、Z軸の横断を調整するためにプラットフォームの位置を配慮し、 これは必要ではないが、動作シーケンスの反復または他の目的に使用され得る。  Z軸モータの101および/またはZ運動装置 104はネジ、またはハイドローリック式装置、または他のアクチュエータまたはライン移動のできる装置によって置き換えられ得る。 
ラインの二つの半ループを使用する２本ライン実施態様において、Z移動装置の104は、Xラインの二つの反対の端、辺18aと辺18bおよびYラインの二つの反対の端、辺19aと辺19bと連結され得る。二つの切れ目の無いループを使用する２本ラインの実施態様では、例えば、Xラインはウィンチ（ハイドローリックまたはネジなど）の穴にフックされるか、または、プラットフォーム124の縦の配置を調整するため装置内でXラインを動かすために、ウィンチなしに縦に動かし得る非回転の滑車に連結することができる。 これは、各々一組の端を持つ二つの半ループからなる、２本ラインの実施態様があるだけでなく、各ラインが端を持たない切れ目のないループとなっている２本ラインの実施態様があることを意味する。両方のラインが半ループを形成している場合があるが、１つのラインまたは他のラインが半ループを形成し、また、他のラインは切れ目のないループを形成している場合がある。例えば、Xラインはウィンチの穴でZ運動装置104と連結された切れ目のないループとなり、一方、Yラインはウインチの異なった部分に連結された二つの端を持つ半ループとなり得る。これの実施態様は、図15A-Dに示されている。
【００３６】
２本ラインの実施態様において各ラインのライン端の数（ゼロまたは２）に関係なく、ライン支持体エレメント120はYラインの19a側と連結されている。これらのライン支持体エレメントは受動的（例えば、プーリまたはシーブ）であるが、制御ソフトウエアを調和するために使用すると、運動は能動的（電動式プッシュプル式ホイールまたは電動式プーリなど）にもなり得る。さらに運動時または加速時に能動的コンポーネントを使用してプラットフォーム124を安定化し得る。ライン支持体122はYラインの19b側と連結されている。ライン支持体エレメント121はXラインの18a側と連結されており、ライン支持体エレメント123はXラインの18b側と連結されている。図中X軸モータ103を右回りに回転すると、Xラインの18a側のラインが短くなり、これによって、X運動の18b側のラインが長くなり、プラットフォームがXのプラス方向、図中右に移動する。 Y軸モータ102を図中右回りに回転すると、Yラインの19a側のラインが短くなり、それによって、Y運動の19b側のラインが長くなり、プラットフォームがYのプラス方向、図の奥へと移動する。 ライン支持体エレメントの 120、 121、 122 および123 は自由に回転し、プラットフォーム124の安定化をさらに補助する能動的コンポーネントを含み得る。
【００３７】
図10は支持体構造110と、ライン支持アセンブリ105（その中を通って方向転換される各ラインの詳細を示す）におけるリービングの実施態様を示す。これは説明のための論理的なパターンであるため、本発明の他の実施態様において、種々のライン支持体エレメントの配置を変え、位置を変えてライン支持体アセンブリ105によって取られる空間を最小限にし、また、ラインの方向を転換し得ることを当業者は認識するであろう。図10は可能な一実施態様を示し、ラインを装置に送り入れたり、引き出したりするためにZ運動装置104を上下に駆動するネジ1000を有する。Z運動104の代わりにラインを動かすことができるあらゆるタイプの装置が用いられ得る。  
ゼネレータおよび電子駆動装置100は、Z軸モータ  101および/またはZ運動装置104、X軸モータ103およびY軸モータ102に動力を供給するために使用され得る。モータにはあらゆる他の動力源を使用し得る。Z軸モータ101は、ライン側を保持する別々の領域のあるドラムウィンチとして構成されたZ運動装置104を駆動する。Z運動装置 104は装置にラインを送り入れ、また送り出す。わかりやすくするために、Z運動装置 104の可能性のある他の実施例（電子アクチュエータコンポーネントなど、またこれには限定されない）は示していない。また、わかりやすくするために、X軸モータ103駆動ブル・ホイールおよびY軸モータ102駆動ブル・ホイールまたは、電動プーリも示していない。プッシュプル式ホイールはライン端を使わずに先入れ先出し式にラインを移動し、ラインを保管せずにラインを輸送するように働くが、一方、ドラムウィンチは後入れ先出し式にラインを移動し、またラインを保管して、後に巻き戻して出す。ラインの摩耗を少なくし、脱線防止機能を持つプッシュプル式ホイール（例、駆動プーリ）およびドラムウィンチを使用して装置内でラインを駆動し得る。
【００３８】
発明の実施態様は支持体構造110からXライン側18bまたはYライン側19aに沿って光ファイバーケーブルまたは電動ケーブルをプラットフォーム124 まで走らせ得る。または、支持体構造112、114および116は同一の方法を介してプラットフォームに動力を供給することができる。または、プラットフォーム124は、外部動力ケーブルの必要性をなくする連結された動力源を持つ装置を収容し得る。プラットフォーム124に取り付けられた装置として、無線または他のリモートコントロール式装置があり、それら自体の能動的または受動的安定化を含め得る。電送性ラインはライン支持体エレメント120を通して多数回ループして、ライン支持体エレメント120のコイルの数でプラットフォーム124に動力を誘導的に送り、また、ラットフォーム124上のコイルの数は、電圧の増減を決めるコイルの割合によって変圧器を効果的に形成する。
【００３９】
図1Aは支持体間のライン移動を含まない装置全体の透視図である。プラットフォーム124の近くの方向転換シーブによって112や110のような支持体間を任意に動くことができるラインを方向転換させることによって、本発明の実施態様ではラインが支持体間を移動する必要性を無くすることができる。方向転換シーブアセンブリ117、118および119 は見やすいようにプラットフォーム124から離して示している。あらゆる数の方向転換装置、または他のメカニズムを用いてリービングを本発明の範囲と精神を保持しながら修正することは可能である。例えば、ライン19b がプラットフォーム112とプラットフォーム114を介さずに、プラットフォーム116とプラットフォーム114を介して方向転換するならば、方向転換シーブアセンブリ119の最も外側のシーブを取り除いて、プラットフォーム124の反対側に移すことができるであろう。これによって、方向転換シーブアセンブリ119、118、117に3、2、2、および1を含むシーブアセンブリと、シーブ122の近くに新しいシーブアセンブリ（簡略にするため図には示していない）ができることになるであろう。図14Dと14Eはシーブアセンブリのより少ないシーブを持つ他の実施態様である。図14Dはシーブ143と144を介して対角線上の互い反対側にある二つの支持体間のラインの移動を示しており、これらのシーブによりZ運動装置104を収容した図の左下の支持体と図の右上の支持体との間でのラインの移動が可能になる。これはプラットフォームの上の支持体110と114の間で直接ライン、すなわちライン18aと 19aをリービングする図1と同じことになるであろう。これは簡潔にするために示していない。
【００４０】
図1Bはカウンターウエイト804、バルーンを用いた浮力性実施態様の説明である。ロッド800は引き延ばされて示されており、図を簡単にするために一定の比例には拡大していない。浮力性実施態様はバルーンからガスを抜く（または水性実施態様における水と交換する）と非浮力性実施態様に変換し得る。例えば、非浮力性実施態様からガスをバルーンに満たすことで浮力性実施態様へ変換し得るであろう。一実施態様はプラットフォームを水中に低下させることによって空中実施態様から水中実施態様に変えられ、例えば、空気でカウンターウエイト804を見たし、付属支持体を低下させることで浮力性に変換され得る。空中と水中間および浮力性と非浮力性実施態様間の変換は常にまたは同時に実施され得る。図1によって装置内のライン移動の説明によって、方向転換シーブアセンブリを通したライン移動を追加して補足する。
【００４１】
図2はX軸のリービングの実施態様を示す。Xのプラス方向、図の右へのX運動は図のX軸モータ103を右回りに回転して得られる。X軸モータ103を右回りに回転すると、ライン18aは支持体構造112からライン支持体アセンブリ105を経て支持体構造110へと下がり、したがってライン支持体エレメント121から出る。支持体構造110と112の間のラインは共に18aであり、これらは実際同じラインである、ただし上のラインはZ軸運動の間にのみ移動する。ラインがライン支持エレメント121を離れて支持体構造112の方へ向かうと、プラットフォーム124をX軸のプラス方向、右に引っ張る。同時にXライン側18bは、X軸モータ103からライン支持アセンブリ105へと上がり、支持体構造116に向かい、ライン支持体エレメント123に入る。プラットフォーム124の右側のXライン側18aの長さは減少し、一方、プラットフォーム124の左側のXライン側18bの長さは増加するため、このプラットフォームは、右へ、X軸のプラス方向へと移動する。装置のリービングは、支持体110ないし116からライン支持体エレメント123に向かうラインの18b側の起点を変えるなどして改良され得る。 他のリービングへの改良も発明の精神を保持しながら行い得る。これには、支持体114上のラインを終端させたり、プラットフォーム124 に連結する方向転換プーリを通して支持体112と116 からラインを走行させて、支持体間のライン移動を無くすることなどが含まれる。装置のライン18の総量は X軸でプラットフォーム124を動かすために変わらず、 単にプラットフォーム124の一側からプラットフォーム124の他の側に移動するだけである。
【００４２】
Z軸モーター101を一方向に回転すると、ネジ装置1000が回転し、これによってZ運動装置104が上昇し、これによって、Xライン側に張られたライン、18aと18bの長さが増加する。これによってプラットフォームがZ軸方向に下がる。Z運動装置104が上昇すると、X ライン側の18aは、上に移動してライン支持体アセンブリ105から支持体構造112を経て支持体構造114を通ってライン支持体構造エレメント121に入る。同時に、Z運動装置104に連結されたXライン側18bもまた、上に移動してライン支持体アセンブリ105に入って、さらにライン支持体エレメント123に入る。プラットフォーム124の両側のラインが長くなったため、プラットフォームは低下する。逆に、Z軸モータ101を他の方向に回転するとプラットフォーム124は上昇する。
【００４３】
Z運動装置104はZ軸運動（traversal）（図18参照）を増やすために一連のプーリを含むことができ、また、Z運動装置104内や、周囲でラインが切れた場合に、移動を止めるためにブロックまたは他の装置を利用し得ることに注意されたい。Z運動装置104の上への移動を制限する予備手段を置くことによって、プラットフォームは、Z運動装置の下での故障が生じたとしても決して下の地面に届くことのないように構成できる。
【００４４】
図3はY軸のリービングの実施態様を示す。Yのプラス方向、図の奥に向かうY運動は図中Y軸モータ102を右回りに回転して行われる。Y軸モータ102を右回りに回転すると、ライン19aは、ライン支持体アセンブリ120から出てライン支持体アセンブリ105を経て支持体構造110へと下がる。ラインがライン支持体エレメント120を出ると、これはプラットフォーム124を図の奥、Y軸のプラス方向へと引っ張る。同時にYライン側19bは、Y軸モータ102からライン支持アセンブリ105へと上がり、支持体構造116に向かい、ライン支持体エレメント122に入る。プラットフォーム124の上側のYライン側19aの長さは減少し、一方、プラットフォーム124の下側のYライン側18bの長さは増加するため、このプラットフォームは、図の奥へ、Y軸のプラス方向へと移動する。支持体構造110と112の間のYライン側19aと19bはZ軸移動の時のみ移動することに注意されたい。これは、また、支持体構造112 と114の間のライン19b においても同様である。 装置内のライン19の総量は Y軸でプラットフォーム124を動かすために変わらず、 単にプラットフォーム124の一つの側からプラットフォーム124の他の側に移動するだけである
Z軸モータ101を一方向に回転すると、Yライン側19aと19bの配置されたラインの長さは増加する。これによって、プラットフォームはZ軸方向に下がる。Z運動装置104（図3のドラムウィンチを参照）が回転すると、Yライン側19aと19bは上に移動し、ライン支持体アセンブリ105に入る。ラインは共に支持体構造112に移動する。Y運動側19aはライン支持体エレメント120に移動し、19bは支持体構造114に移動してライン支持体エレメント 122に入る。プラットフォーム124の両側のラインの長さが増加したため、プラットフォームは低下される。逆に  Z運動装置を起動してYライン19（両側）を反対方向に移動するとプラットフォームは上昇する。ライン19bを滑車に通して支持体112を迂回して、支持体110から直接支持体114へ移動するか、または112の代わりに滑車を通して支持体116を通った後に支持体114に移動し得ることを当業者は理解するであろう。
【００４５】
図1を参照するとライン辺18aと18bからプラットフォーム124を支持しているラインのすべては各々の支持体からライン辺19aおよび19bの隣へ直接移動するので、例えば、各支持体からプラットフォーム124までの長さはライン18および19の長さとなっているため、プラットフォーム124がどこにあっても、支持体からプラットフォームに張られたライン18の全長は、支持体からプラットフォームに張られたライン19の全長と同じである。Z軸移動に影響するラインのすべてが同じだけ移動するので、これによって、Z軸移動の細かいコントロールが可能になる。支持される対象物がどこにあるかによってすべてのラインの長さが不均等に変化するため、1本のケーブル/1つの支持プーリ/1台のモータ/1個のウィンチ装置ではこれは可能でない。
【００４６】
本発明の１本ラインの実施態様はXラインの一端をYラインの一端に連結して、それによって合計2つの端を持つ一本のラインを作ることによって形成されている。本発明の他の実施態様は、ラインの残りの２端、すなわち、Xラインの他の端をYラインの残りの他の端に接続して一個の切れ目のないループを作って形成されている。図16A および 16B参照のこと。次に、Z運動装置104は、ライン支持体アセンブリ105から近づいたり、離れたりして装置のZ軸移動をコントロールする二つの非回転性のライン支持体エレメントを含み得る。したがって、一本ラインの実施態様は ２本のラインを接続して一本のラインを作り、ループを閉じるか、または２端を結合しないままに（ラインの端は合計ゼロか、２個）して形成される。本装置中の１つのラインの長さを追跡すると、一対象物に対して、実に末端合計がゼロまたは２つを有する１本の持続的ラインが三次元に移動すると言える。一本のラインはZ運動装置104からライン支持体エレメント105までのところのどこかに４個の結び目を有し得、これにより、切れた場合にラインの移動を制限する。少なくとも、一つの支持体構造、またはプラットフォーム124に連結されたライン支持体エレメントについて、１つの破損に対しラインの移動を制限する他の技術もまた用い得る。
【００４７】
例えば、図12は、Z運動装置104の上部に連結された２つの非回転性ライン支持体エレメントを備えたハイドローリック装置を使用するように構成されたZ運動装置104の実施態様を示している。図中、Z運動装置104が縦に伸びたり、縮んだりすると、 プラットフォーム124を支持するラインが出たり、引っ込んだりする。実施態様の全部のラインは、末端のない一本の持続的ラインであるため、ライン20と名付ける。しかし、ライン20はXライン側18とYライン側19からなり、名称はZ運動装置のところで変り、X軸モータ103に連結されているZ運動装置104の間でXライン18が20となり、Y軸モータ103に連結されているZ運動装置103の間でYライン19が20となる。この実施態様におけるZ運動モータ101はハイドローリック装置を含む。Z 運動装置104の他の実施態様はネジ、または電子アクチュエータ、あるいは遠距離から関連される二本のライン支持体エレメント装置を移動できるような装置である。Z増加の要素を作るために、Z運動装置104とライン支持体エレメント105の間でブロックや滑車を形成するためにさらに幾つかのライン支持体エレメントにリービングすることは、図18Aおよび図18Bによるように容易に可能であることを当業者は理解するであろう。１つだけのライン支持体装置がZ運動装置104に使われる本発明の他の実施態様は、ライン20の２つのライン端がZ運動装置104に連結され、また、図16Aによるように、１つのライン支持体エレメントがXライン側18とYライン側19の指定された分岐点である場合に存在する。 ２つのライン端をプーリとともにZ運動装置に連結すると、２つのライン端を持つ１つの半ループができてプラットフォーム124を三次元空間ないで移動することができる。残りの２端を結合して、１つの切れ目のないロープのループを形成できることが図16Bで示されている。穴を通って進めなくなるまでZ運動装置104は回転されるまで、図17に示すZ運動装置の穴によって、ライン20 は各々の穴を通って自由に移動できる。これによって、ラインが装置全体を自由に前進しないように引っかかる固定した交差点をX軸とY軸のプッシュプル式ホイールに持たせることができる。Z運動装置104のハイドローリック装置は、穴付き、またはライン20のXライン側18とY ライン側19用の別々の領域を持つ１つのウィンチで置き換えられ得るため、ハイドローリック装置は、発明を実施するために必要でなく、また、Z運動装置104に取って換わるすべてのメカニズムは置き換えられ得る。
【００４８】
図12に示されるように、ライン20は、図1でのXライン側18とYライン側19で、略してXラインとYラインと呼ばれる一本のラインであり、ライン20のこれらの辺は、単に同じラインの異なった辺に過ぎないのであるが、それぞれX軸とY軸を通って移動するために使用される。ライン20、すなわち、Y ライン側 19 （図1中辺19b）は、ずっと左側のZ運動装置 104からライン支持体エレメント105 まで伸びて、支持体構造112 、支持体構造114 、ライン支持体エレメント 122 、支持体構造116へと経て、ライン支持体エレメント 105 からY軸モータ102まで下がり、ライン支持体エレメント105 （図1中では、ここで19a となる）に再び上がり、ライン支持体エレメント120 を経て支持体構造112 からZ運動装置 104上のライン支持体アセンブリ 105の右ライン支持体エレメントを経てライン支持体アセンブリ105に再度上り（ここで図1中 ライン18、辺18bとなる）、これを経てライン支持体エレメント 123 、支持体構造116、ライン支持体アセンブリ、X軸モータ 103 を経てライン支持体アセンブリ 105 （ここで図1中辺18aとなる）に再度上り、支持体構造112、ライン支持体エレメント 121 、支持体構造114 、支持体構造112、ライン支持体アセンブリ105 を経てZ運動装置 104上の左ライン支持体エレメントに達し、これによって本発明のこの実施態様によるリービングされたラインの１つのループが完了する。切れ目のないループの実施態様の場合、Z運動装置104の上に示される二本ライン支持体エレメントの１つまたは両方が非回転性であるため、Z軸モータ103とY軸モータは、引っかかる固定地点を有する、さもなくば、この装置内のすべてのライン支持体エレメントが自由に回転するのでプラットフォーム124は移動しない。ラインの切れ目のないループは、非回転性ライン支持体エレメントの１つの箇所で切断し、その結果生じる２つのライン端はZ運動装置104に連結され、一本ラインの実施態様を生じる得るが、この実施態様では一本ラインの切れ目のないループの代わりに一本のラインの半ループが形成され、これは、また、２端を持つ一本ラインが自由に回転しないようにラインの流れを止める地点を提供する。図16Aを参照されたい。ライン20は一本の切れ目のないラインであるが、ライン20はXライン側18とYライン側19を持ち、そこで力を加えてプラットフォーム124の各々側にラインを配置転換してプラットフォーム124を移動する。  
図4は長方形状の構成の本装置の実施態様の平面図である。ライン支持体アセンブリ105は図中示されているが、支持体構造の各々はより複雑でないライン支持体アセンブリを有する。例えば、支持体構造112は４つのライン支持体エレメントを有し得るが、支持体構造 114 と 116 は２つのライン支持体エレメントを有し得る。各々のライン支持体エレメントはラインをライン支持体エレメントに確実に誘導できる装置を含む得る。例えば、ライン支持体エレメントアセンブリ105は８個のライン支持体エレメント、Ｚ軸移動用に４個、Ｘ軸運動用に２個およびＹ軸運動用に二個または他のあらゆる数のＸラインとＹラインの移動を可能にするライン支持体エレメントを有し得る。  支持体構造110およびライン支持体アセンブリ105のクローズアップの例については図10を参照されたい。使われる支持体の正確な設計図は空間を考慮したり、他の設計条件によって発明の精神の範囲内で変えることができる。ライン支持体エレメントの代わりにあらゆるラインの方向転換機能のエレメントを使用し得る。
【００４９】
図5はこの装置の非長方形の実施態様を示す。この実施態様で、ラインは４つの支持体構造110から112、112から114、114から116、さらに116から110にラインは引かれた場合、凸型四辺形を生じるであろう。支持体構造112と116の間に引かれた線の向こう側に支持体構造114を動かすことによって凹型四辺形の実施態様が構成され得る。支持体構造Since the X軸ラインと Y軸 ラインは支持体構造間の各広がりの長さが同じであるので、装置の機能性を十分維持しながら支持体構造を移動し得ることになる。これは支持体構造に移動性を持たし、装置の操作前または操作中に物理的に移動し得ることを意味する。
【００５０】
図9は三角形の実施態様を示し、これは例えば、支持体構造112とその中の４つのライン支持体エレメントを除くことによって、４つの代わりに３つの支持体構造で構築されている。支持体構造110と116の間の長さは最短であり、支持体構造110と114の間の長さはより長く、支持体構造114と116の間の長さは最も長い。要求される位置に支持体構造を配置して二等辺三角形や等辺三角形の実施態様も作成し得るが、三角形の３辺は同じ長さである必要はないため、不等辺三角形が形成される。支持体構造112とその中の４つのライン支持体エレメントを除くと、ライン支持アセンブリ105から支持体構造114へ直接ラインを結合して達成される。XラインとＹラインの全長は装置内で同じであるため、プラットフォームを上下させるのに同じＺ運動装置を使用し得る。 対象範囲は３辺の三角形であり、その２辺が等長の必要はない。
【００５１】
図14は２本ラインの実施態様の理論的図を示し、ラインなしの開いた辺のない少し異なったリービングを有する。X 軸モータ103 とY軸モータ102をリービング内に移し得る。この図はまた、本発明の精神および範囲内でリービングへの改良が可能であることを示す。  本実施態様はまた、二組のライン端に取り付けられたウィンチとしてＺ運動装置104を示している。明確にするために、１本のラインは破線で示されている。例えば、プッシュプル式ホイールを含むＸ軸モータ 103を動かすとラインは図の左側から図の右側に移動し、また、その逆も生じる。 ラインの移動によって装置内のラインの量は変わらない。例えば、Xラインがライン支持体エレメント120から出てライン支持体エレメント122に移動するように、ライン支持体エレメント121 と123 によってＹラインは通過できる。このことは、例えば、プッシュプル式ホイールを含むＹ軸モータ102を介したＹラインの独立した運動にも当てはまる。支持体から支持される対象物までの測定されたＸラインとＹラインの合計量は同じであるため、X 運動はＹ運動から独立しているが、Ｚ運動は１つのメカニズムによって行われる。３個および４個の支持体配置はまた、２辺が等長である必要はない、対象物を支持する等長のラインを含む。 Ｚ運動装置104を起動すると、各々のライン支持体エレメント120、 121、122 および123の片側を経てラインの同量が移動し、プラットフォームを上下させる。
【００５２】
図 14Aは２本のラインを使う支持体間のライン行程のない理論的リービングの図を示す。図1では支持体114と116の間に直接のライン行程のない１つの空いた側（読者に最寄りの側）を示しているが、支持体110 と116の間、110 と 112の間および112と114の間に直接のライン行程がある。実施態様の１つの側から他の側にラインを転送する基本的メカニズムは 、リービングに関係なくバイパスするか、または支持体間の直接行程を可能にすることであると当業者は理解するであろう。 したがって、ＸラインとＹラインの支持体からプラットフォームまでの測定値の合計量を確実にしながら、本発明の精神の範囲内で装置内の直接行程と間接行程のあらゆる組合せがある。方向転換シーブ 140、141、 142、143、144、145、146 および 147は、支持体 間を移動するであろうラインをプラットフォームに近い所の方へを方向転換する。 本実施態様では見やすいようにXラインは実線で、Ｙラインは破線で示している。つり下げられたプラットフォームの移動は図14の説明のように、支持体から支持されるプラットフォームまでの合計でＸラインとＹラインの同じ長さをさらに方向転換して行われる。
【００５３】
図 14Bは合計1本のラインを使う支持体間のライン行程のない理論的リービングの図を示す。この実施態様は適切なリービングを有する一本のラインは、ライン20の３箇所にそって使用することによって、４つの支持体地点から対象物を三次元内で支持し移動できることを示す。
【００５４】
図14Cは合計2本のラインを使い、両方のラインがＺ運動装置に戻らずに終端する支持体間のライン行程のない理論的リービングの図を示している。図14Cに示すように単純化されたリービングを使うことによって、装置内でより少ないラインが用いられる。装置の半分のだけがＺ運動装置104によって上昇または引き下げされるため、浮力のある場合、または浮力のない場合、空中あるいは水中の場合もＸとＹ軸モータ103と102は支持される対象物のXとYの位置を一定に保つように調整し、一方支持される対象物のZ軸位置を調整し得る。図14Cの右上隅にある“X” 印で、ラインは終わっている。この終端地点で適切な重り、アンカーポイント、またはライン18と19にかけられる力を中和できる固定された、または移動し得る対象物に結び得る。
【００５５】
図 14Dは、図14Aに対して別のリービングを有する２本ラインを使う支持体間のライン行程のない論理的なリービングの図を示す。本実施態様でのラインは図14Aに示される実施態様のラインより短く、Ｙライン19は図の左上部分の周りを完全に通らず、支持される対象物の近くを通って直接Ｚ運動装置104に移動する。同様に、Ｘライン18は図の右下部分の支持体を迂回して方向転換シーブ144 からZ運動装置104に直接移動する。この実施態様は図14Cに描写した実施態様に比べて最も少ない余分なラインで事実上独立したX 、YおよびＺのコントロールを提供する。図1Aにおいて、これは 、方向転換シーブアセンブリ119の最高位のシーブを除き、プラットフォームの反対側にこの除いたシーブを置き、リービングで支持体112を迂回することと同じであろう。したがって、方向転換アセンブリ117の最高位のシーブ を方向転換シーブアセンブリ119の下に３番目のシーブとともに除かれ得るであろう。方向転換アセンブリ117の残りの方向転換シーブは支持体112に移動せずに支持体10に直接経路を取ることができるであろう。 
図14Eは図14Bに対して別のリービングを有する合計１本のラインを使う支持体間のライン行程のない論理的なリービング図式を示す。この実施態様は図14Dに描いた実施態様の一本ラインの実施態様である。
【００５６】
図14は三角形状の実施態様で２本ラインを使う支持体間のライン行程のない理論的なリービング図を示す。三角形状の実施態様での操作はX軸モータ103、 Y軸モータ102 またはZ運動装置 104への制御入力の点から見ると、どの長方形状の実施態様の操作とも同じである。三角形状の実施態様と長方形状の実施態様での相違は支持体の地点の数と含まれる容積である。さらに、支持体が１つ少ないため、存在しない支持体へ２本のライン、または一本のラインの２つのライン辺 を取る必要のある方向転換シーブの数が２つ少なくなる
図15A-Dは図14の左下部分で起こる２本ラインの実施態様の理論的リービングを示し、また、図16A-Bは１本ラインの実施態様の理論的リービングを示す。
【００５７】
図15Aは、二本のライン18と19を使用する本発明の実施態様を示しており、各ライン端はZ運動装置104に連結されている。図 15B はライン18はその末端がZ運動装置104に連結され、一方、ライン19は穴を通ってループを構成している実施態様を示す。Z運動装置104の側面は図17に示されており、左に穴1700、中央に軸1701を示す。  図15C ではライン18は切れ目のないループを構成し、ライン19はその末端がZ運動装置104に連結されている。図 15D はライン18と19が図17に示す穴1700を通って輪となる切れ目のないループを構成している。図 15Dでは、引っ張り合う固定された場所でXおよびYモータを提供するために穴によってライン18および/または19の行程を制限するように構成されている。装置内に全く固定される場所がないと、装置のラインは勝手に回転する。しかし、Z運動装置104が回転しだしても、例えば、Z運動装置はウィンチとして構成されており、したがってもちろん、ライン18および19は一旦ラインがウィンチで傷がつくと穴を通って勝手に回転しないであろう。
【００５８】
図 16A はライン20の２端がZ運動装置に連結され、ライン20は穴1700を通過するような半ループとして構成されたZ運動装置の近くでライン一本のみを使用する本発明の実施態様を示す。図 16B はライン20がZ運動装置104の一対の穴1700を通過して装置内で作る切れ目のないループとしてライン20を使用する本発明の実施態様を示している。図16Bは引っかかる固定された場所でXおよびYモータを提供するために穴によってライン18および/または19の行程を制限するように構成されている。  装置内に全く固定される場所がないと、装置のラインは勝手に回転する。しかし、Z運動装置104が回転しだしても、例えば、Z運動装置はウィンチとして構成されており、したがってもちろん、ライン18および19は一旦ラインがウィンチで傷がつくと穴を通って勝手に回転しないであろう。
【００５９】
図15A-D および 16A-Bに示される実施態様は容易にＺ運動装置104の近くに 変換されるが、装置内で一本ラインまたは２本ラインを使用する他の配置はラインに力がかかるところの交差点を分離することによって実施され得る。できるだけ多くのラインを使用する実施態様を作るために同じ速度で一本のラインを巻いれ、別のラインを巻だす２つのホイールウィンチを装置内のどこかにさらに挿入することができるが、これらの実施態様は、装置内で１本のみか、２本のラインを使用するまでより少ないラインを使用する実施態様で置き換えることができる。ラインの数に関係なく、支持体とプラットフォームの間の２本のライン、または一本のラインの２つの辺の長さが同じであれば、Ｚ運動は１つのＺ運動装置で達成され、ＸとＹ運動は事実上独立している。Ｘ、Y、およびZの力が中心で掛けられる実施態様を使うことによって、メンテナンスは容易に実施されるが、種々の構成成分を置き換えた本発明の実施態様は明らかに本発明の範囲内である。
【００６０】
図18AはZ軸の増倍を使用する実施態様を示す。本発明の実施態様ではZ軸にブロックと滑車を配置し、それでZ運動装置104の制限された行程量を装置内でのラインの量を増加することによって置き換え得る。  Z軸の行程の増加はまた、Z運動装置から支持体までの距離より深い対象範囲にも使用され得、例えば、30メートルスポーツの場合、10個のファクターブロックと滑車を使用して、Z軸内で最大距離300メートルが得られる。例えば、図に示す通り最下部の位置にZ運動装置104を有する図18Aでは、Z運動装置が上げられている図18B と比べて存在するラインの量がほぼ三倍となり、この態様において増倍率は3となる。ロッド1800は本発明の実施態様においては油圧制御的に作動されるロッドであり、一方、Z運動装置101は油圧式ポンプを駆動し得る。理解した上で電動モータの代わりにラインを移動できるあらゆる装置を使用し得るため、Z運動モータは実際には電動モータである必要はない。
【００６１】
図 6はプラットフォーム124のクローズアップされた透視図を示す。プラットフォームのこの実施態様は横木601の下につり下げられている。ライン支持体エレメント120、121、122 および123の各々は一般的な継手で蝶番式に取り付けられている。ライン支持体エレメントは120 は一般的継手620によって横木601に蝶番式に取り付けられている。一般的継手620の代わりに１つの軸を回転できる車軸を使用し得る。  プラットフォーム124はプラットフォーム支柱600で横木601からつり下げられている。プラットフォームにすべての有用な装置または対象物を取り付けられ得る。例えば、演技者を上げたり、下げたりさせるための装着帯を備えたウィンチをプラットフォームと連結する場合がある。水中実施態様の場合、プラットフォームは図の上部にあり、カウンターウエイトは下になり得る。プラットフォーム自体は横木601と支柱600の間で能動的、または受動的安定化を含め得る。支柱 600 は横木601の上に伸ばすか、または伸ばさない、または横木の上の延長は支柱600に連結される生じた全積載物重量の重力中心に対して平衡が保てる場合も、保てない場合もある。いいかえると、重力の中心は、結果として生じる支持される対象物の上か、下または重力の中心にある。重力の中心が支持体地点の上にある場合は、プラットフォームがひっくり返らないようにプラットフォームが支持体地点の十分近くに重力中心を置くように注意しなければならく、これはまた、必要に応じて能動的制御によって実施することができる。一般に重力中心を配置した箇所または支持体地点が重力中心の上にあるところでは、受動的または純粋に制限無く独立した安定性が得られる。横木601は円状または長方形状対象物を含み、これに限らないラインと結合できるあらゆる構造で置換され得る。
【００６２】
図 7はプラットフォームの別の実施態様であるプラットフォーム700のクローズアップされた透視図を示す。このプラットフォームは一般的継手を介してライン支持体エレメント 120、121、122 および 123によって支持されている。プラットフォーム 700はアイソレータを含む、例えば、少なくとも１つの一本軸の自由回転性ジンバルマウント702を含み、702は内部プラットフォーム701を有し、内部プラットフォーム701はあらゆる有用な装置を支持し得、また直接または無線の指揮によって移動される電動式軸を含み得る。 この実施態様は分離されており、自由回転、または、ダンパーで受動的に安定化され、あるいは、ピッチ、ロールおよびパン軸回転という点で能動的に安定化されている、プラットフォーム701の軸を１つ以上有するアイソレータを含む。 能動的安定化は、位置、速度、加速、衝撃、または、時間当たりの距離導関数に対する次数であり得る。 プラットフォームは示すようにプラットフォーム700の内側または外側（簡略するために図示していないが外円を含むであろう）を介して回転可能であり得る。図11は各側に２つのライン支持体エレメントを有する図7の変形を示す。この実施態様では、プラットフォーム700の各々の側は１つの側につき２つのプーリを介して反対側のラインと連結されている。実施態様はプラットフォーム上であらゆる数またはあらゆる大きさのライン支持体エレメントを使用し得る。
【００６３】
図8はプラットフォーム124をクローズアップした透視図を示し、このプラットフォームは受動的または能動的安定化装置803によって支持され、803は横木601（簡潔にするため示していない）、または示すようにプラットフォーム124にて存在し, ロッド800によって支持されている。ロッド800はロッド800の上部にてカウンターウエイト（図8Aに示す）を含み、ロッド800はプラットフォーム124 、ロッド800およびカウンターウエイト804の重力中心の少し上の横木601に取り付けられている。横木601は一般的継ぎ手で蝶番式に取り付けられ、図7に示すようにジンバルを含み得る。  さらに多くのプラットフォーム実施態様が可能であり、図6、 7、 8 および 11に示すプラットフォームは無数の可能な構成例のほんの小さいグループである。垂直または水平方向のもの、能動的または受動的安定化を有すもの、有さないものが含まれ、これに限定されないあらゆるカメラアセンブリもまた、本発明の実施態様で支持され、移動され得る。ＸおよびＹライン（１本ライン または２本ラインの実施態様において）はプラットフォーム124をプラットフォームの各辺の上向き角度から支持するので、タグラインまたはジンバルアセンブリでさらに安定化する必要はない。ただし、本発明の実施態様ではこのような装置を使用している。実際、プラットフォーム124上のライン支持体エレメントは三次元空間中でプラットフォーム124を移動するためにタグラインとして作用している。
【００６４】
図1はラインの全方向に１つのライン支持体エレメントを使う本発明の一実施態様を示す。他の実施態様では、複数の ライン支持体エレメントを、ラインの方向を変え、さらに脱線を防ぐために１つのライン支持体エレメントが使われているところのどこかに事実上使用し得る。ライン支持体エレメントを通過するラインへの側面摩擦を少なくする溝をつけた形の、またまるまった縁のライン支持体エレメント を装置の動力の消費量を少なくするために使用し得る。本発明の実施態様は、装置で指定されたラインで作動するすべてのタイプのライン支持体エレメントを使用し得る。ラインの代わりにケーブルに限らずあらゆる線状接続装置が使用され得る。テンション読み取りを与えるためにＺ軸モータ101とZ運動装置の間にインラインに張力計が挿入され得る。
【００６５】
プラットフォーム124は、安定化装置、ジンバル、カメラ機器、採掘ローダー、船舶間ローダ、伐木器具、スキーリフトシート、ゴンドラ、人に飛行をシミュレートさせるボディセンシング飛行シミュレータスーツ 、重力減少シミュレータスーツ 、ハーネスリフト、軍需品倉庫爆弾リトリーバ、鉄道構内、または原子力施設のセキュリテイ検査用デジタルビデオ機器、葡萄や他の農産物の迅速摘み取りおよび保存用農業収穫ロボット式摘み取り機、あるいは、三次元空間での反復配置および運動が役立つあらゆる他の装置を含み、またこれらに限らない多くの異なった装置を取り付けて多様な機能を果たすことができる。他の実施態様では、プラットフォーム124はプラットフォームから下向けに取り付けたウィトネスカメラを含み、プラットフォームから見えた写真を提供する。前記のカメラ装置は各装置の上または重力のほぼ中心に能動的、受動的または能動的と受動的を組み合わせて安定化されてあらゆる数の軸で取り付けられ得、これらのいくつかは増加されて能動的にまたは受動的に安定化され得る。プラットフォーム124を支持するラインが、他のライン側で切れても地面に衝突しないように互いに反対にある支持体へ移動する限り、プラットフォームの反対側に位置するか、または位置しないライン支持体エレメントを含み得る。
【００６６】
オペレータの入力によって、プラットフォーム124へ移動する他に、本発明の実施態様は、事前計画のプラットフォーム移動（行程）経路のシミュレーションにバーチャルシステムの使用を考慮しており、それによって、好ましいカメラ角度やプラットフォームの位置を決定する。このシステムは後の物理的環境での使用のために経路情報を保存する。本発明の１つ以上の態様を実施する物理的構成が組み立てられると、経路データはプラットフォームまたはプラットフォーム（例えば、カメラ）と連結される対象物の運動の基礎を提供する。シミュレーションは、フットボールスタジアムまたは映画のセットのような物理的場所に合わせた、またはほぼ近づけて計画されたコンピュータ環境で通常行われる。したがって、ここに述べる装置（または手近にある作業に好ましい他のリッギング装置）のユーザは、実際の装置設定の費用をかけずに種々の構成を試みることができる。
【００６７】
発明の１つ以上の実施態様において、バーチャルシステム（ 例えば、リッギング）は、重要なリッギングコンポーネント（例えば、支持体構造、シーブなど）の場所を概算し、プラットフォームの現在の位置に基づいて、Ｚ運動装置を介して装置内にラインを移動する効果、またはラインを装置の１つの側から他の側にＸ交差点やＹ交差点を介して移動する効果を計算することによって実施される。このようにして、物理的環境で実際の行程シーケンスを実施する前にバーチャル環境でプラットフォームの行程をシミュレートできる。物理的環境で変更を行う費用をかける前に、バーチャル環境で最善の角度を得るために行程経路の調整または変更を行える。バーチャルシステム（例えば、リグ）の各々は異なった構造を有し得るが、一旦、構造がわかり、プラットフォームの開始位置がわかれば、プラットフォームの測定位置を計算するためにコントロール入力が用いられる。この手技によって、シミュレーションで測定され、また入力された他のバーチャルオブジェクトを避ける行程の経路を決定する方法が得られる。さらに、支持体の位置は解っており、プラットフォームの位置も解っているので 、ラインの位置は計算され得る。このようにして、例えば、プラットフォームによって建物や樹木は回避され、ラインと特定の行程経路は、人による介入または変動なしにコンピュータ制御によって繰り返し実施され得る。システムオペレータが種々の装置の構成をシミュレートでき、それによって、特定のカメラアングルを得ることができるかどうかを決定できる点でバーチャルシステムを持つことは有利である。
【００６８】
プラットフォームが移動する行程ポイントを選択し、これらのポイントをグラフィカル・ユーザ・インタフェースを通して移動することによって、好ましい三次元経路を満たすために再計算し、後に、物理的環境で再生するために保存され得る。支持体のサイズおよび位置を測定、入力し、また、既知の障害物やウエイポイントのサイズや位置を入力して実施態様をシミュレーションすることによって、物理的実施態様を完全に組み立てる前にプラットフォームの行程経路が構成されるため、対象領域での時間や労力を節約できる。
【００６９】
本発明の実施態様は、任意の空間内で１つ以上の対象物の移動を可能にするためにネスト化され得る。 最初のリービングと全く同じようにリービングされていようと、いまいと、発明の精神に基づいてリーブされた１本のラインまたは複数のラインを含む本発明の実施態様の 後のどの場合も、ネスト化リービングと呼ぶ。図1Cはこの配置を示す。ネスト化は例えば、非浮遊性の二実施態様（空中または、水中）、または浮遊性の二実施態様（空中または、水中）、浮遊性実施態様の上または下にある非浮遊性実施態様（空中、水中または空間）で実施され得る。図1Dは、例えば、おそらくカメラを含むプラットフォーム1242の重量を相殺するためのカウンターウエイトによって支持されているアーティキュレーテッド・アーム、またはブーム1241を示す。また。２つ以上の実施態様をネスト化でき、事前計画された飛行経路のシミュレーションでこの装置のユーザは一組の複雑な経路を通って一組の対象物を移動できる。対象物の経路を計画する機能は、例えば、衝突回避や反復性を含む重要な利点を有する。例えば、映画を撮影する場合、調和された、反復性経路でカメラや演技者を移動し、それで映画のシーンは対象物の移動と演技者の衝突を別にせずに撮影し得ることは有利である。ブーム1241は、外に、または図の右へと入れ子式に短くなり、カウンターウエイト1240は自動的に図の左に移動して、例えば、ブーム1241をどの軸に対しても任意の角度で保つ。
【００７０】
図1Eはネスト化された実施態様で、２つの非浮遊性実施態様の下に浮遊性実施態様を有する２つの非浮遊性実施態様を含む。プラットフォーム124は、演技者を含み、一方、カウンターウエイト1240によって支持されているアーティキュレーテッド・アームまたはブーム1241の末端にあるプラットフォーム1242は、カメラに連結され、例えば、プラットフォーム124に連結された人演技者を撮影するのに使用され得る。アーティキュレーテッド・アームは必要に応じて多くの継ぎ手または自由度を含み得る。プラットフォームにカウンターウエイトを付けることによって、  アームが振動なしに任意の位置に留まることができ、アーム移動を補正するために能動的または受動的制御装置を装置に適用し得る。軸の受動的または能動的制御を有するか、または有しない非浮遊性カウンターウエイト8001 によって垂直方向に指示されている浮遊性カウンターウエイト8002の上部に連結されているプラットフォーム1241に接続されたカメラは、また人演技者または人演技者が三次元空間中を飛行している場合の光景を撮影するためにも使用され得る。  
図1Eの構成は浮遊性実施態様を下に示しているが、浮遊性実施態様は非浮遊性実施態様の上に同様に配置され、またどんな組合せでも配置され得る。飛行経路の事前計画シミュレーションは反復的な様式で実際の飛行経路を制御するために利用され得る。 ２つの非浮遊性実施態様のリービングは平行の構成で示されているが、これは図をわかりやすくするために行われているのであって、現実には支持体のシーブは示されているよりもより接近しているか、さらに広がっている。 ジェネレータや電子駆動装置100を非浮遊性実施態様を制御するために使用され、一方、ジェネレータと電子駆動装置100aを備えた別のアセンブリが浮遊性実施態様の制御に使われ得る。主要シーブアセンブリが浮遊性実施態様用の支持体110内に置かれるように、浮遊性実施態様のリービングを180度切り替えると、この例では、ジェネレータと電子駆動装置100aを除き、ジェネレータと電子駆動装置の１つのアセンブリを用いて３つ全部の実施態様を制御し得る。浮遊性実施態様はラインが支持体間を移動しない構成で示されているが、非浮遊性実施態様もまたこの構成を使い、浮遊性実施態様はいくつかのラインまたは全てのラインが直接、支持体間を移動する構成を用い得る。（図 1 は混成の実施態様を示し、支持体間を移動するラインもあり、移動しないラインもある。これは、支持体112と114の間を移動するライン19bは、支持体110と114の間で、または110から116を経て114への間に容易に直接リービングすることができるけれども、支持体114と116の間を直接移動するラインのない例である。これによって、すべての支持体間を移動するラインを持つ実施態様が得られる。）
実施態様はまた、微同調を行うように独立してコントロールされ得る小さい実施態様を実質的に含む、対象物を移動する１つの大きい実施態様で再帰的にネスト化され得る。図1Fは三角形の独立した実施態様を支持する長方形状の実施態様を示す再帰的にネスト化された実施態様の透視図である。大きい実施態様のコントロールは再帰的にネスト化された実施態様のコントロールから区別できる。例えば、一つの実施態様はまた、１つ以上のネスト化された実施態様を最初の再帰的にネスト化された実施態様と同じレベルでか、またはより深いレベルで収容することができるが、これは簡潔にするために示されていない。
【００７１】
図1Gは、各プラットフォームを接続するロッドを持つネスト化された依存性実施態様の透視図である。各Ｚ運動装置、ＸまたはＹ交差点を移動して、ロッド800は垂直に対してあらゆる角度に位置づけられ得る。下の実施態様が接続地点を下げられ、上の実施態様がロッド800を上げられようにし、一方、ロッド800が下の実施態様に対して垂直に移動できるようにすることによって、大なり小なり側面のトルクを任意のシナリオに使用し得る。 ロッド800は回転するように構成され、また入れ子式に構成され得る。ロッド800はまた、アーティキュレーテッド・アームまたはブームを含み得る。図1Hはアーティキュレーテッド・アームまたはブームプラットフォームを支持するネスト化された依存性実施態様の透視図である。この図において、ロッド800およびブーム1241は入れ子式、または、例えば、固定的長さで構成され得る。
【００７２】
図1Iは、ロッドを垂直の外に回転する機能を示すネスト化依存性実施態様の透視図である。図 1J は支持体とプラットフォームの運動を水平にできるプラットフォームを受動的または能動的に安定化されるネスト化依存性実施態様の透視図である。図1Kは入れ子式ロッドとロッドおよび/またはプラットフォームの回転機能を示すネスト化依存性実施態様の透視図である。図のようにロッド800は上に短くなっており、これは、プラットフォームにさらにトルクをかけられる他の方法である。 例えば、本発明の実施態様が採掘スコップで採掘に使用されている場合、どんな状況でもトルクはより多く適用され得る。プラットフォーム124はまた、図1Jに対して回転されている。プラットフォームは図1Hでのようにブームを含み得るが、簡潔にするため示していない。
【００７３】
図1Lは一本のラインで、プラットフォームの支持と移動を行うような構成、または装置内で合計２本のラインがリービングされることを可能にするＺ運動装置へのラインの依存性を示すネスト化依存性実施態様の透視図である。この実施態様によって両方の実施態様に対してＺ運動装置の制御を同時に行える。１つのＺ運動装置104aを用いて同時に動かすことによって、ロッド800に沿って構成されるリービング装置間が同じ距離（図1Mでの一つの支持体の距離Ｌとロッド800参照）の２つのリービング装置を支持体が相殺する限りは２つの内部シーブアセンブリ間の距離を一定に保てる。上および下のネスト化実施態様に１本ラインの実施態様を使うことによって、図19A、19Bおよび19C（それぞれ２つの半ループ、２つの全ループおよび１つの半ループと全ループ）それぞれにつき合計２本のロープが用いられ、または、１つの半ループ構成の図20Aと１つの全ループ構成の図20B  それぞれにつき装置内で１本のラインで、上下のリービングを一緒に合わせると合計２本のロープが用いられ得る。
【００７４】
図1Mはネスト化依存性実施態様の透視図であり、ブル・ホイールに対してXライン側とYライン側（独立したラインか、または同じ一本のラインの一部）に依存性であり、これによって、位置に関係なく常に垂直になる角度にロッドを保つように構成される。この構成においてX運動装置103aとY運動装置102aは、プラットフォーム124のX および Yの位置づけを制御するために用いられ得、ロッド800は先行技術の装置のように、能動的制御を必要とせずに位置に関係なく垂直を保つ。
【００７５】
図1Nはネスト化依存性実施態様の透視図であり、ここでは、Xリービングの上にYリービングがネスト化され、プラットフォームはプラットフォームの支持と運動を水平に保ちながら受動的または能動的に安定化されている。この実施態様ではリービングの半分は他の半分から縦に分けられている非ネスト化実施態様のように思われ得る。ロッド800に接続されたシーブは制動コンポーネントを有し得るため、例えば、上のリービングが図の奥の方へ引っ張られるが、下のリービングはロッド800に接続された下のシーブ（121、123）の回転を停止して自由に従うことができず、したがってＹのマイナス方向（図の外へ）にプラットフォーム124の角度を変える。例えば、ロッド800の下部、すなわち、シーブ121と123上にあるロッド800と連結された電動式シーブを使うことによって、 シーブ120がそのそれぞれの側にラインで引っ張られ（すなわち、ロッドはＹ軸のプラス方向に引っ張られる）、同時に 通常自由に回転する下部のＸ軸シーブを回転した時にＹのプラス方向（図の奥の方）に回転し得る。実施態様によっては、ラインをそのまわりにループしてラインが滑らないようにする。この実施態様では、２個の個別のＺ運動装置が示されているが、１つのＺ運動装置もまた使用され得る、すなわち、実施態様全体で一本のラインを含み得る。実施態様ではビデオ、マイクロホン装置を含むプラットフォームを持つ棒と連結された二本のラインが示されているけれども、入れ子式ブーム、アーティキュレーテッド・アームまたは他の装置に限定せずに含む他の有用な装置をプラットフォーム124 に連結し得る。  電動式シーブ120、121、122 および 123 を備えた実施態様では、ロッド800は装置内で通常使用されるラインよりより少ないラインで回転され得る。シーブ120、121、122 および 123は、電源を必要とするため、対象領域で移動する時、ロッド800に接続されるバッテリーを充電するためにもシーブを使用し得る、すなわち、シーブ120、121、122 および 123に接続されたモータによってジェネレータを倍加する。ラインをＹ軸のマイナスに送り込むことによって、ラインが装置のＹ軸のプラス側から除かれている間、シーブ122は回転し、それによってシーブ120を回転し、したがって、シーブ120と122はロッド800に接続されたバッテリーを充電することができ、また、ロッド800はシーブ121と123の動力供給、またはシーブ121と123に制動圧をかけるために使用され得る。
【００７６】
図1Pはタグライン21を使用する一ネスト化依存性実施態様を含むネスト化依存性実施態様の透視図である。この実施態様では２本のラインが示されているが、装置のすべての実施態様で使用されるタグラインの数に制限はない。Tここでは1本のロープを使ったＸ軸リービングとして示されているように、２番目のリービング装置から離れたところでロッド800にタグラインを接続すると、縦軸に対してロッド800を回転するために使用され得る。既存のリービング装置を１つのリービングとして使用し、ロッド800が回転できるようにするためにロッド800に沿って離れた箇所でネスト化された２番目のリービング装置として他の既存のリービング装置を使用し得る。例えば、この実施態様においてタグ装置102wはタグ装置を収容する支持体の方にロッド800の上の部分を引っ張るために使用されるウィンチである。
【００７７】
ネスト化されている場合もネスト化されていない場合も、本発明の実施態様は装置内のどこか、例えばプラットフォーム124に、静止した、または移動する対象物との衝突を避けるためにレーダー、光学センサー、または音響センサーを含み得る。静止した対象物の例としては、樹木、建造物があり、一方、移動対象物の例には、乗り物、スポーツ道具（サッカーボール、ベースボール、フットボール、トラックやフィールドの道具、あるいは、他の対象物が含まれる。静止した、または移動対象物の軌道を計測し、プラットフォーム124の位置とラインの支持する側を計測することによって、プラットフォーム124 は移動され、それによって、ラインsidesを移動し、これによってプラットフォーム124または外部の静止した、または移動する対象物を有するライン側との衝突が避けられ得る。
【００７８】
すなわち、空気や、水または重力を必要とせずに一方向の力を提供するためにプラットフォーム上の反動推進エンジン、磁力の反発、または磁力で、空間での装置の使用は、動かされるプラットフォームまたは対象物に任意の方向の磁場に応答して引きつけられるか、または、はねつけられる磁石または合成物を含むように適合させることによって容易に達成される。
【００７９】
本発明の第１の態様は：対象物の三次元運動を容易にするための装置であって；一方向の力をかけるための少なくとも１つのエレメントを有する対象物に連結された、非空の一セットのライン支持体エレメント；該対象物の複数の面に接続された１つのXラインと１つのYライン、および、該Xラインと該Yラインは、該非空のセットのライン支持体エレメントを介して動くように構成され； Xラインを移動して該対象物のX運動をもたらすように構成された１つのX交差点；  Ｙラインを移動して該対象物のＹ運動をもたらすように構成された１つのＹ交差点； および、該Xラインと該Yラインを移動して該対象物のＺ運動をもたらすように構成された１つのＺ運動装置。
【００８０】
第１態様の一実施態様は：該Xラインと該Yラインがラインの２つの側である第１態様の装置である。
【００８１】
第１態様の一実施態様は：一方向の力をかけるための該エレメントが浮揚性対象物からなる第１態様の装置である。
【００８２】
第１態様の一実施態様は：一方向の力をかけるための該エレメントが重力がかかる重量を含む第1態様の装置である。
【００８３】
第1の態様の一実施態様は：一方向の力をかけるための該エレメントが磁性体を含む第1態様の装置である。
【００８４】
第1態様の一実施態様は：一方向の力をかけるための該エレメントは、反動推進エンジンを含む第1態様の装置である。
【００８５】
第1態様の一実施態様は：第１態様の装置であって、さらに以下を含む。：該Ｘラインと接続された１つのＸ運動装置を有する１つのＸ運動モータからなる該X交差点； 該Yラインと接続された１つのY運動装置を有する１つのY運動モータからなる該Y交差点；および、該Z運動装置に接続された１つのZ運動モータ；および、該X運動モータおよび該Y運動モータおよび該Z運動モータに接続された一台の電気ジェネレータおよび一台の電子駆動装置。
【００８６】
第1態様の一実施態様は：さらにネスト化リービングを含む第１態様の装置である。
【００８７】
第1態様の一実施態様は：１つの再帰的ネスト化リービングで構成されるネスト化リービングをさらに含む第１態様の装置である。
【００８８】
第1態様の一実施態様は：１つの非再帰的ネスト化リービングで構成されるネスト化リービングをさらに含む第１態様の装置である。
【００８９】
第1態様の一実施態様は： 該対象物は継ぎ手を介して第２の対象物に接続され、該継ぎ手はロッドからなる依存性リービングから構成されるネスト化リービングをさらに含む第１態様の装置である。
【００９０】
第1態様の一実施態様は：第１態様の装置であって、さらに衝突センサーを含み、該対象物は該対象物と該Xラインおよび該Yラインに対して衝突対象物との衝突を避けるように位置づけられる。
【００９１】
本発明の第2態様は：対象物の三次元運動を容易にする方法であって：対象物と関連する１つのXラインを移動し、該Xラインは複数の支持体を通ってリービングされ該対象物のX運動をもたらし、：該対象物と関連する1つのYラインを移動し、該Yラインは複数の支持体を通ってリービングされ該対象物のY運動をもたらし；および、該XラインとYラインを移動して該対象物のZ運動をもたらすことから構成される。
【００９２】
第2態様の一実施態様は：該XラインとYラインが一本のラインの２つのライン側である第2態様の方法である。
【００９３】
本発明の第３態様は：対象物の三次元空間運動を容易にするための方法であって、：コンピュータ・シミュレーションを用いて三次元空間中の仮想対象物の行程経路を作成し、：仮想対象物と関連する仮想Xラインの移動を用いたX制御の入力を記録し、該仮想Xラインは複数の仮想支持体を通ってリービングされ該仮想対象物のX運動をもたらし；仮想対象物と関連する仮想Yラインの移動を用いたY制御の入力を記録し、該仮想Yラインは複数の仮想支持体を通ってリービングされ該仮想対象物のY運動をもたらし；該仮想Xラインと該仮想Yラインを移動させて該仮想対象物の仮想Z運動をもたらすZ制御の入力を記録し、；および仮想環境において該コンピュータ上に該行程経路を表示することから構成される。
【００９４】
第３態様の一実施態様は：第３態様の方法であってさらに以下から構成される：現実の対象物の現実の運動をもたらすために、X交差点、Y交差点および、Z運動装置のそれぞれに、X、Y、およびZ制御の入力の該記録を適用する。
【００９５】
第３態様の一実施態様は：第２セットの記録された制御入力を１つのネスト化リービングに適用する第３の方法である。
【００９６】
第３態様の一実施態様は：第３態様の方法であって：該X制御入力、Y制御入力および該Z制御入力を再計算するために該コンピュータ上の該行程経路を編集することからなる。
【００９７】
第３態様の一実施態様は：衝突を避けるために外行程経路からの逸脱を含む第３態様の方法である。
【００９８】
このようにして、吊されたカメラまたは他の対象物の、一方向の力による流動的三次元運動を容易にするケーブル装置および方法について述べた。しかし、発明の範囲は、請求項および同等物の範囲によって定義されるものである。
【図面の簡単な説明】
【００９９】
【図１−１】図1は装置全体の透視図である。
【図１−２】図 1Aは、支持体間のライン行程（travel）のない装置全体の透視図である。
【図１−３】図1B は支持体間のライン行程（travel）のない装置全体の透視図であり、空中浮力性または水中浮力性の実施態様を示す。
【図１−４】図 1C は二つの独立した装置を示すネスト化された実施態様の透視図である。
【図１−５】図 1Dはアーティキュレーテッド・アーム またはブーム・プラットフォームを備えたネスト化された実施態様の透視図である。
【図１−６】図 1Eは 一組の非浮力性実施態様と浮力性実施態様を使用するネスト化された実施態様の透視図である。
【図１−７】図 1F は三角形の独立した実施態様を支持する長方形を示す再帰的にネスト化された実施態様の透視図である。
【図１−８】図 1G は、各プラットフォームを連結する一本のロッドを有するネスト化された依存性実施態様の透視図である。
【図１−９】図 1Hは、アーティキュレーテッド・アームまたは、ブーム・プラットホームを支持しているネスト化された依存性実施態様の透視図である。
【図１−１０】図 1Iは、垂直外にロッドを回転する機能を示すネスト化された依存性実施態様の透視図である。
【図１−１１】図 1J は、レベルの支持とプラットフォームの運動を可能にする、受動的または能動的に安定化されたプラットフォームを備えたネスト化された依存性実施態様の透視図である。
【図１−１２】図 1K は、入れ子式ロッドとロッドの回転機能を示すネスト化された依存性実施態様の透視図である。
【図１−１３】図 1Lは、ネスト化された依存性実施態様の透視図で、Z運動装置でのラインの依存性により、合計一本のラインでプラットフォームを支持し、動かせるように構成されることを示す。
【図１−１４】図 1M は、ネスト化された依存性実施態様の透視図で、Xライン側およびYライン側のそれぞれのブル・ホイールとの依存性、これによって、ロッドを垂直の独立した位置に常に保持し、また、装置内で、最小一本のラインを使って構成されていることを示している。
【図１−１５】図 1Nはネスト化された依存性実施態様の透視図で、Xリービングの上にネスト化されたYリービングを含み、受動的に、または能動的に安定化されたプラットフォームは、プラットフォームの水平支持と運動が可能となる。
【図２】図 2 は、 X軸リービング の透視図である。
【図３】図3は、 X軸リービング の透視図である。
【図４】図 4は、装置の長方形実施態様の 平面図である。
【図５】図 5 は、装置の四辺形実施態様の 平面図であり、ここでは２辺を同じ長さにする必要はない。
【図６】図 6 はプラットフォームの実施態様の透視図である。
【図７】図 7  はプラットフォームの実施態様の透視図である。
【図８−１】図 8は、受動的または能動的に安定化されるプラットフォームを使用したプラットフォームの実施態様の透視図である。
【図８−２】図 8Aは、受動的または能動的に安定化されるプラットフォームおよびカウンターウエイトを使用したプラットフォームの実施態様の透視図である。
【図９】図 9 は、２辺を同じ長さにする必要のない装置の不等辺三角形実施態様の平面図である。
【図１０】図 10はライン支持エレメントを含むリービングのクローズアップ図である。
【図１１】図 11 は、一面につき二つのライン支持エレメントを持つプラットフォームの実施態様の透視図である。
【図１２】図 12は、一本ラインのリービング実施態様を示す。
【図１３】図 13 は、タグラインを使用したネスト化された依存性実施態様を含むネスト化された依存性実施態様の透視図である。
【図１４−１】図 14 は、論理的リービングの図を示す。
【図１４−２】図 14A は、２本ラインを使う支持体間のライン行程のない論理的リービング図を示す。
【図１４−３】図 14Bは、合計一本のラインを使用する支持体間のライン行程のない論理的リービング図を示す。
【図１４−４】図 14C は、両方のラインが共にZ運動装置に戻らずに終端する、２本ラインを使う支持体間のライン行程のない論理的リービングの図を示す。
【図１４−５】図 14Dは、図14Aに対して別のリービングを有する２本ラインを使う支持体間のライン行程のない論理的リービングの図を示す。
【図１４−６】図 14E は、図14Bに対して別のリービングを有する合計１本のラインを使う支持体間のライン行程のない論理的リービング図式を示す。
【図１４−７】図 14Fは、三角形状の実施態様で２本のラインを使う支持体間のライン行程のない論理的なリービング図式を示す。
【図１５】図 15A-D はZ運動装置の実施態様での２本ラインの実施態様を示す。
【図１６】図 16A と 16Bは、Z運動装置の実施態様での1本ラインの実施態様を示す。
【図１７】図 17 は、少なくとも１個の穴を持つZ運動装置の一実施態様の側面図を示す。
【図１８】図 18A と 18Bは、ブロックと滑車を使用して支持される対象物のZ軸移動（traversal）を増加するZ運動装置の一実施態様を示す。
【図１９−１】図 19Aは、装置内で２本のライン（上部の実施態様に１本のラインと下部の実施態様に1本のラインを使用し、各ラインは半ループになり、それにより、Z運動装置に連結される２組のライン端を生じる）を使用する依存性ネスト化実施態様用のZ運動装置におけるリービングを示す。
【図１９−２】図 19Bは、装置内で２本のライン（各ラインが持続的なループを作る）を使用する依存性ネスト化実施態様用のZ運動装置におけるリービングを示す。
【図１９−３】図 19Cは、装置内で２本のライン（一本のラインは、２つのライン端を有する半ループを作り、他のラインはライン端の無い持続的なループを作る）を使用する依存性ネスト化実施態様用のZ運動装置におけるリービングを示す。
【図２０−１】図 20Aは、装置内で合計1本のライン（２つのライン端を持つ半ループを作る）を使用する依存性ネスト化実施態様用のZ運動装置におけるリービングを示す。
【図２０−２】図 20B は、装置内で合計1本のライン（ライン端の無い持続的ループを作る）を使用する依存性ネスト化実施態様用のZ運動装置におけるリービングを示す。
【図１】
2007503368.tif 000003
【図１Ａ】
2007503368.tif 000004
【図１Ｂ】
2007503368.tif 000005
【図１Ｃ】
2007503368.tif 000006
【図１Ｄ】
2007503368.tif 000007
【図１Ｅ】
2007503368.tif 000008
【図１Ｆ】
2007503368.tif 000009
【図１Ｇ】
2007503368.tif 000010
【図１Ｈ】
2007503368.tif 000011
【図１Ｉ】
2007503368.tif 000012
【図１Ｊ】
2007503368.tif 000013
【図１Ｋ】
2007503368.tif 000014
【図１Ｌ】
2007503368.tif 000015
【図１Ｍ】
2007503368.tif 000016
【図１Ｎ】
2007503368.tif 000017
【図１Ｐ】
2007503368.tif 000018
【図２】
2007503368.tif 000019
【図３】
2007503368.tif 000020
【図４】
2007503368.tif 000021
【図５】
2007503368.tif 000022
【図６】
2007503368.tif 000023
【図７】
2007503368.tif 000024
【図８】
2007503368.tif 000025
【図８Ａ】
2007503368.tif 000026
【図９】
2007503368.tif 000027
【図１０】
2007503368.tif 000028
【図１１】
2007503368.tif 000029
【図１２】
2007503368.tif 000030
【図１４】
2007503368.tif 000031
【図１４Ａ】
2007503368.tif 000032
【図１４Ｂ】
2007503368.tif 000033
【図１４Ｃ】
2007503368.tif 000034
【図１４Ｄ】
2007503368.tif 000035
【図１４Ｅ】
2007503368.tif 000036
【図１４Ｆ】
2007503368.tif 000037
【図１５Ａ】
2007503368.tif 000038
【図１５Ｂ】
2007503368.tif 000039
【図１５Ｃ】
2007503368.tif 000040
【図１５Ｄ】
2007503368.tif 000041
【図１６Ａ】
2007503368.tif 000042
【図１６Ｂ】
2007503368.tif 000043
【図１７】
2007503368.tif 000044
【図１８Ａ】
2007503368.tif 000045
【図１８Ｂ】
2007503368.tif 000046
【図１９Ａ】
2007503368.tif 000047
【図１９Ｂ】
2007503368.tif 000048
【図１９Ｃ】
2007503368.tif 000049
【図２０Ａ】
2007503368.tif 000050
【図２０Ｂ】
2007503368.tif 000051
【手続補正書】
【提出日】平成18年4月28日(2006.4.28)
【手続補正１】
【補正対象書類名】特許請求の範囲
【補正対象項目名】全文
【補正方法】変更
【補正の内容】
【特許請求の範囲】
【請求項１】
対象物の三次元運動を容易にするための装置であって、
一方向の力をかけるためのエレメントを少なくとも１つ有する対象物に連結された、非空の一セットのライン支持体エレメントと、
該非空の一セットのライン支持体エレメントを介して移動するよう構成された、前記対象物の複数の面に連結された１つのXラインおよび１つのYラインと、
Xラインを移動して前記対象物のX運動をもたらすように構成された１つのX分岐点と、 
前記対象物のYラインを移動してY運動をもたらすように構成された１つのY分岐点と、
前記Xラインと前記Yラインを移動して前記対象物のＺ運動をもたらすように構成された１つのＺ運動装置とを備え、
前記Xラインと前記Yラインは２本の別個のラインであるか、または、前記Xラインと前記Yラインは１本のラインのうちの２つのライン側であることを特徴とする三次元運動を容易にするための装置。
【請求項２】
対象物の三次元運動を容易にする方法であって、
複数の支持体を通ってリービングされて対象物のX運動をもたらす、該対象物と関連するXラインを移動させる工程と、
複数の支持体を通ってリービングされて対象物のY運動をもたらす、該対象物と関連したYラインを移動させる工程と、
前記XラインとYラインとを移動させて前記対象物のZ運動をもたらす工程とを有してなり、
前記Xラインと前記Yラインは２本の別のラインであるか、または、前記Xラインと前記Yラインは１本のラインの２つの側であることを特徴とする方法。
【請求項３】
対象物の三次元運動を容易にするための装置であって、
複数の支持体を通ってリービングされて前記対象物のX運動をもたらす、該対象物と関連する Xラインを移動させる手段と、
複数の支持体を通ってリービングされて前記対象物のY運動をもたらす、該対象物と関連する一本のYラインを移動させる手段と、
前記Xラインと前記Yラインを移動して前記対象物のZ運動をもたらす手段とを備え、
前記Xラインと前記Yラインは２本の別のラインであるか、または、前記Xラインと前記Yラインは１本のラインの２つのライン側であることを特徴とする対象物の三次元運動を容易にするための装置。
【請求項４】
対象物の三次元運動を容易にする方法において、
コンピュータ・シミュレーションを用いて三次元空間中の仮想対象物の移動経路を生成する工程であって、
複数の仮想支持体を通ってリービングされ仮想対象物の仮想Ｘ運動をもたらす仮想Xラインを該仮想対象物と関連して移動させるのに用いられるX制御の入力を記録することと、
複数の仮想支持体を通ってリービングされ仮想対象物の仮想Y運動をもたらす仮想Yラインを該仮想対象物と関連して移動させるのに用いられるY制御の入力を記録することと、
前記仮想Ｘラインと前記仮想Ｙラインとを移動させることによって、前記仮想対象物の仮想Ｚ運動をもたらすＺ制御入力を記録することとによって実行される工程と、
前記コンピュータ上の前記移動経路を仮想環境に表示する工程とを有してなることを特徴とする方法。
【請求項５】
対象物の三次元運動を容易にするための装置において、
中間にある分岐点においてロッドと連結された第１のラインおよび第２のラインであって、該ロッドはさらに対象物と連結され、また、該第１のラインと該第２のラインは該対象物を移動させるように形成されているものである第１のラインおよび第2のラインと、
前記第１のラインを移動させるように形成された第１の分岐点と、 
前記第２のラインを移動させるように形成された第２の分岐点とを備え、
前記第１のラインと前記第２のラインは２本の別のラインであるか、または前記第１のラインと前記第２のラインは１本のラインの２つのライン側であることを特徴とする三次元運動を容易にするための装置。
【請求項６】
対象物の三次元運動を容易にする方法であって、
対象物と関連するロッドに連結された、該対象物と関連する第１のラインを移動させる工程と、
前記第１のラインからの分岐点において前記ロッドと連結された、前記対象物と関連する第2のラインを移動させる工程と、
前記第１のラインを調整することによって縦軸に対して前記ロッドを回転させる工程とを有してなり、
前記第１のラインと前記第２のラインは２本の別々のラインであるか、または前記第１のラインと前記第２のラインは１本のラインの２つのライン側であることを特徴とする方法。
【請求項７】
対象物の三次元運動を容易にするための装置であって、
対象物と関連するロッドに連結された、前記対象物と関連する第１のラインを移動させる手段と、
前記第１のラインからの分岐点において前記ロッドと連結された、前記対象物と関連する第2のラインを移動させる手段と、
前記第１のラインを調整することによって縦軸に対して前記ロッドを回転させる手段とを備え、
前記第１のラインと前記第２のラインは２本の別々のラインであるか、または前記第１のラインと前記第２のラインは１本のラインの２つのライン側であることを特徴とする装置。
【請求項８】
対象物の三次元運動を容易にするための装置であって、
第１軸において対象物を移動させるように形成されたＸ運動ロープと、
第2軸において前記対象物を移動させるように形成されたY運動ロープと、
前記X運動ロープと前記Y運動ロープとを移動させて第３軸において前記対象物の運動をもたらすように形成されたZ運動装置とを有してなる装置。
【請求項９】
対象物の三次元運動を容易にする方法であって、
対象物に連結されたX運動ロープを移動させる工程と、
前記対象物に連結されたY運動ロープを移動させる工程と、
前記対象物を移動させる工程とを有してなる方法。
【請求項１０】
対象物の三次元運動を容易にするための装置であって、
対象物に連結されたX運動ロープを移動させるための手段と、
前記対象物に連結されたY運動ロープを移動させるための手段と、
前記X運動ロープと前記Y運動ロープとに連結されたZ運動装置を起動させるための手段とを有してなる装置。
【国際調査報告】
2007503368.tif 000052